(57)【要約】  本出願の実施例は信号伝送方法、ネットワーク装置と端末装置を開示する。該方法は、ネットワーク装置が端末装置へ少なくとも一つのサウンディング基準信号（ＳＲＳ）リソース及び／又は少なくとも一つのＳＲＳリソースグループとダウンリンク基準信号とのマッピング関係を送信することを含む。本出願の実施例における方法、ネットワーク装置と端末装置は、システムの伝送性能を向上させることに有利である。
2021508417.tif 000002
【特許請求の範囲】
【請求項１】
信号伝送方法であって、
ネットワーク装置が、端末装置へ少なくとも一つのサウンディング基準信号（ＳＲＳ）リソース及び／又は少なくとも一つのＳＲＳリソースグループとダウンリンク基準信号とのマッピング関係を送信することを含む、前記信号伝送方法。
【請求項２】
前記ネットワーク装置が前記端末装置へ少なくとも一つのＳＲＳリソースとダウンリンク基準信号とのマッピング関係を送信することは、
前記ネットワーク装置が、前記端末装置へ前記少なくとも一つのＳＲＳリソース内の各ＳＲＳリソースの配置情報を送信し、前記各ＳＲＳリソースの配置情報が、前記各ＳＲＳリソースに対応するダウンリンク基準信号を示すための指示フィールドをそれぞれ含むことを含むことを特徴とする
請求項１に記載の方法。
【請求項３】
前記ネットワーク装置が前記端末装置へ少なくとも一つのＳＲＳリソースグループとダウンリンク基準信号とのマッピング関係を送信することは、
前記ネットワーク装置が、前記端末装置へ少なくとも一つのＳＲＳリソースグループ内の各ＳＲＳリソースグループの配置情報を送信し、前記各ＳＲＳリソースグループの配置情報が、前記各ＳＲＳリソースグループのＳＲＳリソースに対応する少なくとも一つの指示フィールドをそれぞれ含むことを含むことを特徴とする
請求項１に記載の方法。
【請求項４】
前記指示フィールドは具体的にダウンリンク基準信号の識別子又はダウンリンク基準信号の配置情報を示すことに用いられることを特徴とする
請求項２又は３に記載の方法。
【請求項５】
前記ネットワーク装置が端末装置へ少なくとも一つのサウンディング基準信号（ＳＲＳ）リソース及び／又は少なくとも一つのＳＲＳリソースグループとダウンリンク基準信号とのマッピング関係を送信することは、
前記ネットワーク装置が、無線リソース制御（ＲＲＣ）シグナリング又はメディアアクセス制御（ＭＡＣ）シグナリングによって前記端末装置へマッピング組み合わせを送信し、前記マッピング組み合わせが、前記少なくとも一つのＳＲＳリソースとダウンリンク基準信号とのマッピング関係及び／又は前記少なくとも一つのＳＲＳリソースグループとダウンリンク基準信号とのマッピング関係を含むことを含むことを特徴とする
請求項１に記載の方法。
【請求項６】
前記マッピング組み合わせはさらに少なくとも一つの状態識別子を含み、前記少なくとも一つの状態識別子内の各状態識別子が、前記少なくとも一つのＳＲＳリソース内の各ＳＲＳリソースとダウンリンク基準信号とのマッピング関係を１対１で識別することに用いられ、又は、
前記マッピング組み合わせはさらに少なくとも一つの状態識別子を含み、前記少なくとも一つの状態識別子内の各状態識別子が、前記少なくとも一つのＳＲＳリソースグループ内の各ＳＲＳリソースグループとダウンリンク基準信号とのマッピング関係を１対１で識別することに用いられることを特徴とする
請求項５に記載の方法。
【請求項７】
前記方法はさらに、
前記ネットワーク装置が前記端末装置へ第一の指示情報を送信し、前記第一の指示情報が、前記ネットワーク装置へ前記マッピングン関係を有する第一のＳＲＳを送信するように前記端末装置をトリガすることに用いられることを含むことを特徴とする
請求項１−６のいずれか一項に記載の方法。
【請求項８】
前記第一の指示情報は前記第一のＳＲＳ及び／又は前記第一のＳＲＳに対応するダウンリンク基準信号を示すことに用いられることを特徴とする
請求項７に記載の方法。
【請求項９】
前記方法はさらに、
前記ネットワーク装置が前記端末装置へ第二の指示情報を送信し、前記第二の指示情報が、前記ネットワーク装置へ第一の状態識別子によって識別されるマッピング関係を有するＳＲＳを送信するように前記端末装置をトリガするように、前記少なくとも一つの状態識別子内の前記第一の状態識別子を示すことに用いられることを含むことを特徴とする
請求項６に記載の方法。
【請求項１０】
前記ネットワーク装置が端末装置へ少なくとも一つのサウンディング基準信号（ＳＲＳ）リソース及び／又は少なくとも一つのＳＲＳリソースグループとダウンリンク基準信号とのマッピング関係を送信することは、
前記ネットワーク装置が、前記端末装置へ前記少なくとも一つのＳＲＳリソースとダウンリンク基準信号の送信リソースとの第一のタイムシーケンス関係を送信し、前記第一のタイムシーケンス関係が、前記少なくとも一つのＳＲＳリソースとダウンリンク基準信号とのマッピング関係を示すことに用いられること、及び／又は
前記ネットワーク装置が、前記端末装置へ前記少なくとも一つのＳＲＳリソースグループとダウンリンク基準信号の送信リソースとの第二のタイムシーケンス関係を送信し、前記第二のタイムシーケンス関係が、前記少なくとも一つのＳＲＳリソースグループとダウンリンク基準信号とのマッピング関係を示すことに用いられることを含むことを特徴とする
請求項１に記載の方法。
【請求項１１】
前記ネットワーク装置が端末装置へ少なくとも一つのサウンディング基準信号（ＳＲＳ）リソース及び／又は少なくとも一つのＳＲＳリソースグループとダウンリンク基準信号とのマッピング関係を送信することは、
前記ネットワーク装置が、前記少なくとも一つのＳＲＳリソースでＳＲＳを送信するためのトリガ信号とダウンリンク基準信号との第三のタイムシーケンス関係を前記端末装置に送信し、前記第三のタイムシーケンス関係が、前記少なくとも一つのＳＲＳリソースとダウンリンク基準信号とのマッピング関係を示すことに用いられること、及び／又は
前記ネットワーク装置が、前記少なくとも一つのＳＲＳリソースグループでＳＲＳを送信するためのトリガ信号とダウンリンク基準信号との第四のタイムシーケンス関係を前記端末装置に送信し、前記第四のタイムシーケンス関係が、前記少なくとも一つのＳＲＳリソースグループとダウンリンク基準信号とのマッピング関係を示すことに用いられることを含むことを特徴とする
請求項１に記載の方法。
【請求項１２】
前記ダウンリンク基準信号はチャンセル状態情報基準信号（ＣＳＩ−ＲＳ）及び／又は同期信号ブロック（ＳＳＢ）を含むことを特徴とする
請求項１−１１のいずれか一項に記載の方法。
【請求項１３】
前記ＳＲＳは非周期的ＳＲＳ、周期的ＳＲＳと半静的ＳＲＳのうちの少なくとも一つを含むことを特徴とする
請求項１−１２のいずれか一項に記載の方法。
【請求項１４】
信号伝送方法であって、
端末装置が、ネットワーク装置から送信された少なくとも一つのサウンディング基準信号（ＳＲＳ）リソース及び／又は少なくとも一つのＳＲＳリソースグループとダウンリンク基準信号とのマッピング関係を受信することを含む、前記信号伝送方法。
【請求項１５】
前記端末装置がネットワーク装置から送信された少なくとも一つのサウンディング基準信号（ＳＲＳ）リソースとダウンリンク基準信号とのマッピング関係を受信することは、
前記端末装置が、前記ネットワーク装置から送信された前記少なくとも一つのＳＲＳリソース内の各ＳＲＳリソースの配置情報を受信し、前記各ＳＲＳリソースの配置情報が、前記各ＳＲＳリソースに対応するダウンリンク基準信号を示すための指示フィールドをそれぞれ含むことを含むことを特徴とする
請求項１４に記載の方法。
【請求項１６】
前記端末装置がネットワーク装置から送信された少なくとも一つのＳＲＳリソースグループとダウンリンク基準信号とのマッピング関係を受信することは、
前記端末装置が、前記ネットワーク装置から送信された少なくとも一つのＳＲＳリソースグループ内の各ＳＲＳリソースグループの配置情報を受信し、前記各ＳＲＳリソースグループの配置情報が、前記各ＳＲＳリソースグループのＳＲＳリソースに対応する少なくとも一つの指示フィールドをそれぞれ含むことを含むことを特徴とする
請求項１４に記載の方法。
【請求項１７】
前記指示フィールドは具体的にダウンリンク基準信号の識別子又はダウンリンク基準信号の配置情報を示すことに用いられることを特徴とする
請求項１５又は１６に記載の方法。
【請求項１８】
前記端末装置がネットワーク装置から送信された少なくとも一つのサウンディング基準信号（ＳＲＳ）リソース及び／又は少なくとも一つのＳＲＳリソースグループとダウンリンク基準信号とのマッピング関係を受信することは、
前記端末装置が、前記ネットワーク装置が無線リソース制御（ＲＲＣ）シグナリング又はメディアアクセス制御（ＭＡＣ）シグナリングによって送信したマッピング組み合わせを受信し、前記マッピング組み合わせが、前記少なくとも一つのＳＲＳリソースとダウンリンク基準信号とのマッピング関係及び／又は前記少なくとも一つのＳＲＳリソースグループとダウンリンク基準信号とのマッピング関係を含むことを含むことを特徴とする
請求項１４に記載の方法。
【請求項１９】
前記マッピング組み合わせはさらに少なくとも一つの状態識別子を含み、前記少なくとも一つの状態識別子内の各状態識別子が、前記少なくとも一つのＳＲＳリソース内の各ＳＲＳリソースとダウンリンク基準信号とのマッピング関係を１対１で識別することに用いられ、又は、
前記マッピング組み合わせはさらに少なくとも一つの状態識別子を含み、前記少なくとも一つの状態識別子内の各状態識別子が、前記少なくとも一つのＳＲＳリソースグループ内の各ＳＲＳリソースグループとダウンリンク基準信号とのマッピング関係を１対１で識別することに用いられることを特徴とする
請求項１８に記載の方法。
【請求項２０】
前記方法はさらに、
前記端末装置が、前記ネットワーク装置から送信された第一の指示情報を受信し、前記第一の指示情報が、前記ネットワーク装置へ前記マッピングン関係を有する第一のＳＲＳを送信するように前記端末装置をトリガすることに用いられることと、
前記端末装置が、前記第一の指示情報と前記マッピング関係に応じて、前記第一のＳＲＳに対応するダウンリンク基準信号を確定することと、
前記端末装置が、前記第一のＳＲＳに対応するダウンリンク基準信号に基づき、前記第一のＳＲＳのプリコーディング情報を計算することと、
前記端末装置が、前記プリコーディング情報に基づき、前記ネットワーク装置へ前記第一のＳＲＳを伝送することとを含むことを特徴とする
請求項１４−１９のいずれか一項に記載の方法。
【請求項２１】
前記第一の指示情報は前記第一のＳＲＳ及び／又は前記第一のＳＲＳに対応するダウンリンク基準信号を示すことに用いられることを特徴とする
請求項２０に記載の方法。
【請求項２２】
前記方法はさらに、
前記端末装置が、前記ネットワーク装置から送信された第二の指示情報を受信し、前記第二の指示情報が前記少なくとも一つの状態識別子内の第一の状態識別子を示すことに用いられることと、
前記端末装置が、前記第一の状態識別子と前記マッピングテーブルに基づき、前記第一の状態識別子に対応する第一のＳＲＳ及び前記第一のＳＲＳに対応するダウンリンク基準信号を確定することと、
前記端末装置が、前記第一のＳＲＳに対応するダウンリンク基準信号に基づき、前記第一のＳＲＳのプリコーディング情報を計算することと、
前記端末装置が、前記プリコーディング情報に基づき、前記ネットワーク装置へ前記第一のＳＲＳを伝送することとを含むことを特徴とする
請求項１９に記載の方法。
【請求項２３】
前記端末装置がネットワーク装置から送信された少なくとも一つのサウンディング基準信号（ＳＲＳ）リソース及び／又は少なくとも一つのＳＲＳリソースグループとダウンリンク基準信号とのマッピング関係を受信することは、
前記端末装置が、前記ネットワーク装置から送信された前記少なくとも一つのＳＲＳリソースとダウンリンク基準信号の送信リソースとの第一のタイムシーケンス関係を受信し、前記第一のタイムシーケンス関係が、前記少なくとも一つのＳＲＳリソースとダウンリンク基準信号とのマッピング関係を示すことに用いられること、及び／又は
前記端末装置が、前記ネットワーク装置から送信された前記少なくとも一つのＳＲＳリソースグループとダウンリンク基準信号の送信リソースとの第二のタイムシーケンス関係を受信し、前記第二のタイムシーケンス関係が、前記少なくとも一つのＳＲＳリソースグループとダウンリンク基準信号とのマッピング関係を示すことに用いられることを含むことを特徴とする
請求項１４に記載の方法。
【請求項２４】
前記端末装置がネットワーク装置から送信された少なくとも一つのサウンディング基準信号（ＳＲＳ）リソース及び／又は少なくとも一つのＳＲＳリソースグループとダウンリンク基準信号とのマッピング関係を受信することは、
前記端末装置が、前記ネットワーク装置から送信された、前記少なくとも一つのＳＲＳリソースでＳＲＳを送信するためのトリガ信号とダウンリンク基準信号との第三のタイムシーケンス関係を受信し、前記第三のタイムシーケンス関係が、前記少なくとも一つのＳＲＳリソースとダウンリンク基準信号とのマッピング関係を示すことに用いられること、及び／又は
前記端末装置が、前記ネットワーク装置から送信された、前記少なくとも一つのＳＲＳリソースグループでＳＲＳを送信するためのトリガ信号とダウンリンク基準信号との第四のタイムシーケンス関係を受信し、前記第四のタイムシーケンス関係が前記少なくとも一つのＳＲＳリソースとダウンリンク基準信号とのマッピング関係を示すことに用いられることを含むことを特徴とする
請求項１４に記載の方法。
【請求項２５】
前記ダウンリンク基準信号はチャンセル状態情報基準信号（ＣＳＩ−ＲＳ）及び／又は同期信号ブロック（ＳＳＢ）を含むことを特徴とする
請求項１４−２４のいずれか一項に記載の方法。
【請求項２６】
前記ＳＲＳは非周期的ＳＲＳ、周期的ＳＲＳと半静的ＳＲＳのうちの少なくとも一つを含むことを特徴とする
請求項１４−２５のいずれか一項に記載の方法。
【請求項２７】
ネットワーク装置であって、
端末装置へ少なくとも一つのサウンディング基準信号（ＳＲＳ）リソース及び／又は少なくとも一つのＳＲＳリソースグループとダウンリンク基準信号とのマッピング関係を送信するように構成される送信ユニットを備える、前記ネットワーク装置。
【請求項２８】
前記送信ユニットは具体的に、
前記端末装置へ前記少なくとも一つのＳＲＳリソース内の各ＳＲＳリソースの配置情報を送信するように構成され、前記各ＳＲＳリソースの配置情報が、前記各ＳＲＳリソースに対応するダウンリンク基準信号を示すための指示フィールドをそれぞれ含むことを特徴とする
請求項２７に記載のネットワーク装置。
【請求項２９】
前記送信ユニットは具体的に、
前記ネットワーク装置が、前記端末装置へ少なくとも一つのＳＲＳリソースグループ内の各ＳＲＳリソースグループの配置情報を送信するように構成され、前記各ＳＲＳリソースグループの配置情報が、前記各ＳＲＳリソースグループのＳＲＳリソースに対応する少なくとも一つの指示フィールドをそれぞれ含むことを特徴とする
請求項２７に記載のネットワーク装置。
【請求項３０】
前記指示フィールドは具体的にダウンリンク基準信号の識別子又はダウンリンク基準信号の配置情報を示すことに用いられることを特徴とする
請求項２８又は２９に記載のネットワーク装置。
【請求項３１】
前記送信ユニットは具体的に、
無線リソース制御（ＲＲＣ）シグナリング又はメディアアクセス制御（ＭＡＣ）シグナリングによって前記端末装置へマッピング組み合わせを送信するように構成され、前記マッピング組み合わせが、前記少なくとも一つのＳＲＳリソースとダウンリンク基準信号とのマッピング関係及び／又は前記少なくとも一つのＳＲＳリソースグループとダウンリンク基準信号とのマッピング関係を含むことを特徴とする
請求項２７に記載のネットワーク装置。
【請求項３２】
前記マッピング組み合わせはさらに少なくとも一つの状態識別子を含み、前記少なくとも一つの状態識別子内の各状態識別子が、前記少なくとも一つのＳＲＳリソース内の各ＳＲＳリソースとダウンリンク基準信号とのマッピング関係を１対１で識別することに用いられ、又は、
前記マッピング組み合わせはさらに少なくとも一つの状態識別子を含み、前記少なくとも一つの状態識別子内の各状態識別子が、前記少なくとも一つのＳＲＳリソースグループ内の各ＳＲＳリソースグループとダウンリンク基準信号とのマッピング関係を１対１で識別することに用いられることを特徴とする
請求項３１に記載のネットワーク装置。
【請求項３３】
前記送信ユニットはさらに、
前記端末装置へ第一の指示情報を送信するように構成され、前記第一の指示情報が、前記ネットワーク装置へ前記マッピングン関係を有する第一のＳＲＳを送信するように前記端末装置をトリガすることに用いられることを特徴とする
請求項２７−３２のいずれか一項に記載のネットワーク装置。
【請求項３４】
前記第一の指示情報は前記第一のＳＲＳ及び／又は前記第一のＳＲＳに対応するダウンリンク基準信号を示すことに用いられることを特徴とする
請求項３３に記載のネットワーク装置。
【請求項３５】
前記送信ユニットはさらに、
前記端末装置へ第二の指示情報を送信するように構成され、前記第二の指示情報が、前記ネットワーク装置へ第一の状態識別子によって識別されるマッピング関係を有するＳＲＳを送信するように前記端末装置をトリガするように、前記少なくとも一つの状態識別子内の前記第一の状態識別子を示すことに用いられることを特徴とする
請求項３２に記載のネットワーク装置。
【請求項３６】
前記送信ユニットは具体的に、
前記端末装置へ前記少なくとも一つのＳＲＳリソースとダウンリンク基準信号の送信リソースとの第一のタイムシーケンス関係を送信するように構成され、前記第一のタイムシーケンス関係が、前記少なくとも一つのＳＲＳリソースとダウンリンク基準信号とのマッピング関係を示すことに用いられ、及び／又は
前記端末装置へ前記少なくとも一つのＳＲＳリソースグループとダウンリンク基準信号の送信リソースとの第二のタイムシーケンス関係を送信するように構成され、前記第二のタイムシーケンス関係が、前記少なくとも一つのＳＲＳリソースグループとダウンリンク基準信号とのマッピング関係を示すことに用いられることを特徴とする
請求項２７に記載のネットワーク装置。
【請求項３７】
前記送信ユニットは具体的に、
前記少なくとも一つのＳＲＳリソースでＳＲＳを送信するためのトリガ信号とダウンリンク基準信号との第三のタイムシーケンス関係を前記端末装置に送信するように構成され、前記第三のタイムシーケンス関係が、前記少なくとも一つのＳＲＳリソースとダウンリンク基準信号とのマッピング関係を示すことに用いられ、及び／又は
前記少なくとも一つのＳＲＳリソースグループでＳＲＳを送信するためのトリガ信号とダウンリンク基準信号との第四のタイムシーケンス関係を前記端末装置に送信するように構成され、前記第四のタイムシーケンス関係が、前記少なくとも一つのＳＲＳリソースグループとダウンリンク基準信号とのマッピング関係を示すことに用いられることを特徴とする
請求項２７に記載のネットワーク装置。
【請求項３８】
前記ダウンリンク基準信号はチャンセル状態情報基準信号（ＣＳＩ−ＲＳ）及び／又は同期信号ブロック（ＳＳＢ）を含むことを特徴とする
請求項２７−３７のいずれか一項に記載のネットワーク装置。
【請求項３９】
前記ＳＲＳは非周期的ＳＲＳ、周期的ＳＲＳと半静的ＳＲＳのうちの少なくとも一つを含むことを特徴とする
請求項２７−３８のいずれか一項に記載のネットワーク装置。
【請求項４０】
端末装置であって、
ネットワーク装置から送信された少なくとも一つのサウンディング基準信号（ＳＲＳ）リソース及び／又は少なくとも一つのＳＲＳリソースグループとダウンリンク基準信号とのマッピング関係を受信するように構成される受信ユニットを備える、前記端末装置。
【請求項４１】
前記受信ユニットは具体的に、
前記ネットワーク装置から送信された前記少なくとも一つのＳＲＳリソース内の各ＳＲＳリソースの配置情報を受信するように構成され、前記各ＳＲＳリソースの配置情報が、前記各ＳＲＳリソースに対応するダウンリンク基準信号を示すための指示フィールドをそれぞれ含むことを特徴とする
請求項４０に記載の端末装置。
【請求項４２】
前記受信ユニットは具体的に、
前記ネットワーク装置から送信された少なくとも一つのＳＲＳリソースグループ内の各ＳＲＳリソースグループの配置情報を受信するように構成され、前記各ＳＲＳリソースグループの配置情報が、前記各ＳＲＳリソースグループのＳＲＳリソースに対応するダウンリンク基準信号を示すための少なくとも一つの指示フィールドをそれぞれ含むことを特徴とする
請求項４０に記載の端末装置。
【請求項４３】
前記指示フィールドは具体的にダウンリンク基準信号の識別子又はダウンリンク基準信号の配置情報を示すことに用いられることを特徴とする
請求項４１又は４２に記載の端末装置。
【請求項４４】
前記受信ユニットは具体的に、
前記ネットワーク装置が無線リソース制御（ＲＲＣ）シグナリング又はメディアアクセス制御（ＭＡＣ）シグナリングによって送信したマッピング組み合わせを受信するように構成され、前記マッピング組み合わせが、前記少なくとも一つのＳＲＳリソースとダウンリンク基準信号とのマッピング関係及び／又は前記少なくとも一つのＳＲＳリソースグループとダウンリンク基準信号とのマッピング関係を含むことを特徴とする
請求項４０に記載の端末装置。
【請求項４５】
前記マッピング組み合わせはさらに少なくとも一つの状態識別子を含み、前記少なくとも一つの状態識別子内の各状態識別子が、前記少なくとも一つのＳＲＳリソース内の各ＳＲＳリソースとダウンリンク基準信号とのマッピング関係を１対１で識別することに用いられ、又は、
前記マッピング組み合わせはさらに少なくとも一つの状態識別子を含み、前記少なくとも一つの状態識別子内の各状態識別子が、前記少なくとも一つのＳＲＳリソースグループ内の各ＳＲＳリソースグループとダウンリンク基準信号とのマッピング関係を１対１で識別することに用いられることを特徴とする
請求項４４に記載の端末装置。
【請求項４６】
前記受信ユニットはさらに、
前記ネットワーク装置から送信された第一の指示情報を受信するように構成され、前記第一の指示情報が、前記ネットワーク装置へ前記マッピングン関係を有する第一のＳＲＳを送信するように前記端末装置をトリガすることに用いられ、
前記端末装置はさらに、
前記第一の指示情報と前記マッピング関係に応じて、前記第一のＳＲＳに対応するダウンリンク基準信号を確定するように構成される第一の確定ユニットと、
前記第一のＳＲＳに対応するダウンリンク基準信号に基づき、前記第一のＳＲＳのプリコーディング情報を計算するように構成される第一の計算ユニットと、
前記プリコーディング情報に基づき、前記ネットワーク装置へ前記第一のＳＲＳを伝送するように構成される送信ユニットとを備えることを特徴とする
請求項４０−４５のいずれか一項に記載の端末装置。
【請求項４７】
前記第一の指示情報は前記第一のＳＲＳ及び／又は前記第一のＳＲＳに対応するダウンリンク基準信号を示すことに用いられることを特徴とする
請求項４６に記載の端末装置。
【請求項４８】
前記受信ユニットはさらに、
前記ネットワーク装置から送信された第二の指示情報を受信するように構成され、前記第二の指示情報が前記少なくとも一つの状態識別子内の第一の状態識別子を示すことに用いられ、
前記端末装置はさらに、
前記第一の状態識別子と前記マッピングテーブルに基づき、前記第一の状態識別子に対応する第一のＳＲＳ及び前記第一のＳＲＳに対応するダウンリンク基準信号を確定するように構成される第二の確定ユニットと、
前記第一のＳＲＳに対応するダウンリンク基準信号に基づき、前記第一のＳＲＳのプリコーディング情報を計算するように構成される第二の計算ユニットと、
前記プリコーディング情報に基づき、前記ネットワーク装置へ前記第一のＳＲＳを伝送するように構成される第二の送信ユニットとを備えることを特徴とする
請求項４５に記載の端末装置。
【請求項４９】
前記受信ユニットは具体的に、
前記ネットワーク装置から送信された前記少なくとも一つのＳＲＳリソースとダウンリンク基準信号の送信リソースとの第一のタイムシーケンス関係を受信するように構成され、前記第一のタイムシーケンス関係が、前記少なくとも一つのＳＲＳリソースとダウンリンク基準信号とのマッピング関係を示すことに用いられ、及び／又は
前記ネットワーク装置から送信された前記少なくとも一つのＳＲＳリソースグループとダウンリンク基準信号の送信リソースとの第二のタイムシーケンス関係を受信するように構成され、前記第二のタイムシーケンス関係が、前記少なくとも一つのＳＲＳリソースグループとダウンリンク基準信号とのマッピング関係を示すことに用いられることを特徴とする
請求項４０に記載の端末装置。
【請求項５０】
前記受信ユニットは具体的に、
前記ネットワーク装置から送信された、前記少なくとも一つのＳＲＳリソースでＳＲＳを送信するためのトリガ信号とダウンリンク基準信号との第三のタイムシーケンス関係を受信するように構成され、前記第三のタイムシーケンス関係が、前記少なくとも一つのＳＲＳリソースとダウンリンク基準信号とのマッピング関係を示すことに用いられ、及び／又は
前記ネットワーク装置から送信された、前記少なくとも一つのＳＲＳリソースグループでＳＲＳを送信するためのトリガ信号とダウンリンク基準信号との第四のタイムシーケンス関係を受信するように構成され、前記第四のタイムシーケンス関係が前記少なくとも一つのＳＲＳリソースとダウンリンク基準信号とのマッピング関係を示すことに用いられることを特徴とする
請求項４０に記載の端末装置。
【請求項５１】
前記ダウンリンク基準信号はチャンセル状態情報基準信号（ＣＳＩ−ＲＳ）及び／又は同期信号ブロック（ＳＳＢ）を含むことを特徴とする
請求項４０−５０のいずれか一項に記載の端末装置。
【請求項５２】
前記ＳＲＳは非周期的ＳＲＳ、周期的ＳＲＳと半静的ＳＲＳのうちの少なくとも一つを含むことを特徴とする
請求項４０−５１のいずれか一項に記載の端末装置。
【発明の詳細な説明】
【技術分野】
【０００１】
本出願の実施例は、通信分野に関し、且つより具体的には、信号伝送方法、ネットワーク装置と端末装置に関する。
【背景技術】
【０００２】
新しい無線（ＮＲ：Ｎｅｗ  Ｒａｄｉｏ）における物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）に対するマルチインプットマルチアウトプット（ＭＩＭＯ：Ｍｕｌｔｉｐｌｅ−Ｉｎｐｕｔ  Ｍｕｌｔｉｐｌｅ−Ｏｕｔｐｕｔ）技術伝送スキームの設計では、非コードブックに基づくアップリンク（Ｕｐｌｉｎｋ）マルチインプットマルチアウトプット（Ｎｏｎ−ｃｏｄｅｂｏｏｋ−ｂａｓｅｄ  ＵＬ  ＭＩＭＯ）とは、端末がネットワークのダウンリンク基準信号に基づき、ダウンリンクチャネル情報を推定し、さらにダウンリンクチャネル情報に基づいてサウンディング基準信号（ＳＲＳ：Ｓｏｕｎｄｉｎｇ  Ｒｅｆｅｒｅｎｃｅ  Ｓｉｇｎａｌ）のプリコーディング情報を計算し、さらに端末が計算されたアップリンクプリコーディング情報に基づいてアップリンクＳＲＳを伝送することができることを指す。しかし、ダウンリンクにおいて様々な異なるダウンリンク基準信号があり、端末がどのダウンリンク基準信号を用いて伝送待ちのＳＲＳのプリコーディング情報を計算するかを知らないため、システムの伝送性能が低下する。
【発明の概要】
【発明が解決しようとする課題】
【０００３】
これに鑑みて、本出願の実施例は、システムの伝送性能を向上させることに有利な信号伝送方法、ネットワーク装置と端末装置を提供する。
【課題を解決するための手段】
【０００４】
第一の態様による信号伝送方法は、ネットワーク装置が端末装置へ少なくとも一つのサウンディング基準信号（ＳＲＳ）リソース及び／又は少なくとも一つのＳＲＳリソースグループとダウンリンク基準信号とのマッピング関係を送信することを含む。
【０００５】
ＳＲＳ信号とダウンリンク基準信号とのマッピング関係を端末装置に通知することにより、端末装置は後にどのダウンリンク基準信号を用いて伝送待ちＳＲＳのプリコーディング情報を計算するかを知ることができ、それによってシステムの伝送性能を向上することに有利である。
【０００６】
一つの可能な実施形態では、該ネットワーク装置が該端末装置へ少なくとも一つのＳＲＳリソースとダウンリンク基準信号とのマッピング関係を送信することは、該ネットワーク装置が該端末装置へ該少なくとも一つのＳＲＳリソース内の各ＳＲＳリソースの配置情報を送信し、該各ＳＲＳリソースの配置情報が、該各ＳＲＳリソースに対応するダウンリンク基準信号を示すための指示フィールドをそれぞれ含むことを含む。
【０００７】
一つの可能な実施形態では、該ネットワーク装置が該端末装置へ少なくとも一つのＳＲＳリソースグループとダウンリンク基準信号とのマッピング関係を送信することは、該ネットワーク装置が該端末装置へ少なくとも一つのＳＲＳリソースグループ内の各ＳＲＳリソースグループの配置情報を送信し、該各ＳＲＳリソースグループの配置情報が、該各ＳＲＳリソースグループのＳＲＳリソースに対応する少なくとも一つの指示フィールドをそれぞれ含むことを含む。
【０００８】
一つの可能な実施形態では、該指示フィールドは具体的にダウンリンク基準信号の識別子又はダウンリンク基準信号の配置情報を示すことに用いられる。
【０００９】
一つの可能な実施形態では、該ネットワーク装置が端末装置へ少なくとも一つのサウンディング基準信号（ＳＲＳ）リソース及び／又は少なくとも一つのＳＲＳリソースグループとダウンリンク基準信号とのマッピング関係を送信することは、該ネットワーク装置が無線リソース制御（ＲＲＣ）シグナリング又はメディアアクセス制御（ＭＡＣ）シグナリングによって該端末装置へマッピング組み合わせを送信し、該マッピング組み合わせが該少なくとも一つのＳＲＳリソースとダウンリンク基準信号とのマッピング関係及び／又は該少なくとも一つのＳＲＳリソースグループとダウンリンク基準信号とのマッピング関係を含むことを含む。
【００１０】
一つの可能な実施形態では、該マッピング組み合わせはさらに少なくとも一つの状態識別子を含み、該少なくとも一つの状態識別子内の各状態識別子が該少なくとも一つのＳＲＳリソース内の各ＳＲＳリソースとダウンリンク基準信号とのマッピング関係を１対１で識別することに用いられ、又は、該マッピング組み合わせはさらに少なくとも一つの状態識別子を含み、該少なくとも一つの状態識別子内の各状態識別子が該少なくとも一つのＳＲＳリソースグループ内の各ＳＲＳリソースグループとダウンリンク基準信号とのマッピング関係を１対１で識別することに用いられる。
【００１１】
一つの可能な実施形態では、該方法は、さらに該ネットワーク装置が該端末装置へ第一の指示情報を送信し、該第一の指示情報が該ネットワーク装置へ該マッピングン関係を有する第一のＳＲＳを送信するように該端末装置をトリガすることに用いられることを含む。
【００１２】
一つの可能な実施形態では、該第一の指示情報は該第一のＳＲＳ及び／又は該第一のＳＲＳに対応するダウンリンク基準信号を示すことに用いられる。
【００１３】
一つの可能な実施形態では、該方法は、さらに該ネットワーク装置が該端末装置へ第二の指示情報を送信し、該第二の指示情報が、該ネットワーク装置へ該第一の状態識別子によって識別されるマッピング関係を有するＳＲＳを送信するように該端末装置をトリガするように、該少なくとも一つの状態識別子内の第一の状態識別子を示すことに用いられることを含む。
【００１４】
一つの可能な実施形態では、該ネットワーク装置が端末装置へ少なくとも一つのサウンディング基準信号（ＳＲＳ）リソース及び／又は少なくとも一つのＳＲＳリソースグループとダウンリンク基準信号とのマッピング関係を送信することは、該ネットワーク装置が該端末装置へ該少なくとも一つのＳＲＳリソースとダウンリンク基準信号の送信リソースとの第一のタイムシーケンス関係を送信し、該第一のタイムシーケンス関係が該少なくとも一つのＳＲＳリソースとダウンリンク基準信号とのマッピング関係を示すことに用いられること、及び／又は該ネットワーク装置が該端末装置へ該少なくとも一つのＳＲＳリソースグループとダウンリンク基準信号の送信リソースとの第二のタイムシーケンス関係を送信し、該第二のタイムシーケンス関係が該少なくとも一つのＳＲＳリソースグループとダウンリンク基準信号とのマッピング関係を示すことに用いられることを含む。
【００１５】
一つの可能な実施形態では、該ネットワーク装置が端末装置へ少なくとも一つのサウンディング基準信号（ＳＲＳ）リソース及び／又は少なくとも一つのＳＲＳリソースグループとダウンリンク基準信号とのマッピング関係を送信することは、該ネットワーク装置が該少なくとも一つのＳＲＳリソースでＳＲＳを送信するためのトリガ信号とダウンリンク基準信号との第三のタイムシーケンス関係を該端末装置に送信し、該第三のタイムシーケンス関係が該少なくとも一つのＳＲＳリソースとダウンリンク基準信号とのマッピング関係を示すことに用いられること、及び／又は該ネットワーク装置が該少なくとも一つのＳＲＳリソースグループでＳＲＳを送信するためのトリガ信号とダウンリンク基準信号との第四のタイムシーケンス関係を該端末装置に送信し、該第四のタイムシーケンス関係が該少なくとも一つのＳＲＳリソースグループとダウンリンク基準信号とのマッピング関係を示すことに用いられることを含む。
【００１６】
一つの可能な実施形態では、該ダウンリンク基準信号はチャネル状態情報基準信号（ＣＳＩ−ＲＳ）及び／又は同期信号ブロック（ＳＳＢ）を含む。
【００１７】
一つの可能な実施形態では、該ＳＲＳは非周期的ＳＲＳ、周期的ＳＲＳと半静的ＳＲＳのうちの少なくとも一つを含む。
【００１８】
第二の態様による信号伝送方法は、端末装置がネットワーク装置から送信された少なくとも一つのサウンディング基準信号（ＳＲＳ）リソース及び／又は少なくとも一つのＳＲＳリソースグループとダウンリンク基準信号とのマッピング関係を送信することを含む。
【００１９】
一つの可能な実施形態では、該端末装置がネットワーク装置から送信された少なくとも一つのサウンディング基準信号（ＳＲＳ）リソースとダウンリンク基準信号とのマッピング関係を受信することは、該端末装置が該ネットワーク装置から送信された該少なくとも一つのＳＲＳリソース内の各ＳＲＳリソースの配置情報を受信し、該各ＳＲＳリソースの配置情報が、該各ＳＲＳリソースに対応するダウンリンク基準信号を示すための指示フィールドをそれぞれ含むことを含む。
【００２０】
一つの可能な実施形態では、該端末装置がネットワーク装置から送信された少なくとも一つのＳＲＳリソースグループとダウンリンク基準信号とのマッピング関係を受信することは、該端末装置が該ネットワーク装置から送信された少なくとも一つのＳＲＳリソースグループ内の各ＳＲＳリソースグループの配置情報を受信し、該各ＳＲＳリソースグループの配置情報が、該各ＳＲＳリソースグループのＳＲＳリソースに対応する少なくとも一つの指示フィールドをそれぞれ含むことを含む。
【００２１】
一つの可能な実施形態では、該指示フィールドは具体的にダウンリンク基準信号の識別子又はダウンリンク基準信号の配置情報を示すことに用いられる。
【００２２】
一つの可能な実施形態では、該端末装置がネットワーク装置から送信された少なくとも一つのサウンディング基準信号（ＳＲＳ）リソース及び／又は少なくとも一つのＳＲＳリソースグループとダウンリンク基準信号とのマッピング関係を受信することは、該端末装置が、該ネットワーク装置が無線リソース制御（ＲＲＣ）シグナリング又はメディアアクセス制御（ＭＡＣ）シグナリングによって送信したマッピング組み合わせを受信し、該マッピング組み合わせが該少なくとも一つのＳＲＳリソースとダウンリンク基準信号とのマッピング関係及び／又は該少なくとも一つのＳＲＳリソースグループとダウンリンク基準信号とのマッピング関係を含むことを含む。
【００２３】
一つの可能な実施形態では、該マッピング組み合わせはさらに少なくとも一つの状態識別子を含み、該少なくとも一つの状態識別子内の各状態識別子が該少なくとも一つのＳＲＳリソース内の各ＳＲＳリソースとダウンリンク基準信号とのマッピング関係を１対１で識別することに用いられ、又は、該マッピング組み合わせはさらに少なくとも一つの状態識別子を含み、該少なくとも一つの状態識別子内の各状態識別子が該少なくとも一つのＳＲＳリソースグループ内の各ＳＲＳリソースグループとダウンリンク基準信号とのマッピング関係を１対１で識別することに用いられる。
【００２４】
一つの可能な実施形態では、該方法はさらに該端末装置が該ネットワーク装置から送信された第一の指示情報を受信し、該第一の指示情報が該ネットワーク装置へ該マッピング関係を有する第一のＳＲＳを送信するように該端末装置をトリガすることに用いられることと、該端末装置が該第一の指示情報と該マッピング関係に応じて、該第一のＳＲＳに対応するダウンリンク基準信号を確定することと、該端末装置が該第一のＳＲＳに対応するダウンリンク基準信号に基づき、該第一のＳＲＳのプリコーディング情報を計算することと、該端末装置が該プリコーディング情報に基づき、該ネットワーク装置へ該第一のＳＲＳを伝送することとを含む。
【００２５】
一つの可能な実施形態では、該第一の指示情報は該第一のＳＲＳ及び／又は該第一のＳＲＳに対応するダウンリンク基準信号を示すことに用いられる。
【００２６】
一つの可能な実施形態では、該方法は、さらに該端末装置が該ネットワーク装置から送信された第二の指示情報を受信し、該第二の指示情報が該少なくとも一つの状態識別子内の第一の状態識別子を示すことに用いられることと、
該端末装置が該第一の状態識別子と該マッピングテーブルに基づき、該第一の状態識別子に対応する第一のＳＲＳ及び該第一のＳＲＳに対応するダウンリンク基準信号を確定することと、該端末装置が該第一のＳＲＳに対応するダウンリンク基準信号に基づき、該第一のＳＲＳのプリコーディング情報を計算することと、該端末装置が該プリコーディング情報に基づき、該ネットワーク装置へ該第一のＳＲＳを伝送することとを含む。
【００２７】
一つの可能な実施形態では、該端末装置がネットワーク装置から送信された少なくとも一つのサウンディング基準信号（ＳＲＳ）リソース及び／又は少なくとも一つのＳＲＳリソースグループとダウンリンク基準信号とのマッピング関係を受信することは、該端末装置が該ネットワーク装置から送信された該少なくとも一つのＳＲＳリソースとダウンリンク基準信号の送信リソースとの第一のタイムシーケンス関係を受信し、該第一のタイムシーケンス関係が該少なくとも一つのＳＲＳリソースとダウンリンク基準信号とのマッピング関係を示すことに用いられること、及び／又は該端末装置が該ネットワーク装置から送信された該少なくとも一つのＳＲＳリソースグループとダウンリンク基準信号の送信リソースとの第二のタイムシーケンス関係を受信し、該第二のタイムシーケンス関係が該少なくとも一つのＳＲＳリソースグループとダウンリンク基準信号とのマッピング関係を示すことに用いられることを含む。
【００２８】
一つの可能な実施形態では、該端末装置がネットワーク装置から送信された少なくとも一つのサウンディング基準信号（ＳＲＳ）リソース及び／又は少なくとも一つのＳＲＳリソースグループとダウンリンク基準信号とのマッピング関係を受信することは、該端末装置が該ネットワーク装置から送信された、該少なくとも一つのＳＲＳリソースでＳＲＳを送信するためのトリガ信号とダウンリンク基準信号との第三のタイムシーケンス関係を受信し、該第三のタイムシーケンス関係が該少なくとも一つのＳＲＳリソースとダウンリンク基準信号とのマッピング関係を示すことに用いられること、及び／又は該端末装置が該ネットワーク装置から送信された、該少なくとも一つのＳＲＳリソースグループでＳＲＳを送信するためのトリガ信号とダウンリンク基準信号との第四のタイムシーケンス関係を受信し、該第四のタイムシーケンス関係が該少なくとも一つのＳＲＳリソースとダウンリンク基準信号とのマッピング関係を示すことに用いられることを含む。
【００２９】
一つの可能な実施形態では、該ダウンリンク基準信号はチャネル状態情報基準信号（ＣＳＩ−ＲＳ）及び／又は同期信号ブロック（ＳＳＢ）を含む。
【００３０】
一つの可能な実施形態では、該ＳＲＳは非周期的ＳＲＳ、周期的ＳＲＳと半静的ＳＲＳのうちの少なくとも一つを含む。
【００３１】
第三の態様によるネットワーク装置は上記第一の態様又は第一の態様のいずれかの可能な実施形態における方法を実行することに用いられる。具体的には、該ネットワーク装置は、上記第一の態様又は第一の態様のいずれかの可能な実施形態における方法を実行するためのユニットを備える。
【００３２】
第四の態様による端末装置は上記第二の態様又は第二の態様のいずれかの可能な実施形態における方法を実行することに用いられる。具体的には、該端末装置は、上記第二の態様又は第二の態様のいずれかの可能な実施形態における方法を実行するためのユニットを備える。
【００３３】
第五の態様によるネットワーク装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは該メモリに記憶された、上記第一の態様又は第一の態様のいずれかの可能な実施形態における方法を実行するための命令を実行するように構成される。
【００３４】
第六の態様による端末装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは該メモリに記憶された、上記第二の態様又は第二の態様のいずれかの可能な実施形態における方法を実行するための命令を実行するように構成する。
【００３５】
第七の態様によるコンピュータ記憶媒体は、上記第一の態様又は第一の態様のいずれかの可能な実施形態における方法、又は上記第二の態様又は第二の態様のいずれかの可能な実施形態における方法を実行するための、上記態様を実行するために設計されたプログラムを含むコンピュータソフトウエア命令を記憶することに用いられる。
【００３６】
第八の態様による命令を含むコンピュータプログラム製品は、コンピュータで実行される場合、コンピュータが上記第一の態様又は第一の態様の任意の選択可能な実施形態における方法、又は上記第二の態様又は第二の態様の任意の選択可能な実施形態における方法を実行する。
【００３７】
本出願のこれらの態様又は他の態様は以下の実施例の説明からより容易に明らかになる。
【図面の簡単な説明】
【００３８】
【図１】本出願の実施例の一つの応用シーンを示す概略図である。
【図２】本出願の実施例による信号伝送方法を示す概略ブロック図である。
【図３】本出願の実施例による信号伝送方法を示す別の概略ブロック図である。
【図４】本出願の実施例によるネットワーク装置を示す概略ブロック図である。
【図５】本出願の実施例による端末装置を示す概略ブロック図である。
【図６】本出願の実施例によるネットワーク装置を示す別の概略ブロック図である。
【図７】本出願の実施例による端末装置を示す別の概略ブロック図である。
【発明を実施するための形態】
【００３９】
以下に本発明の実施例の図面と組み合わせながら、本出願の実施例における技術的解決策を明確に、全面的に説明する。
【００４０】
理解すべきものとして、本出願の実施例の技術的解決策は様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｖｅｄ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新しい無線（ＮＲ：Ｎｅｗ  Ｒａｄｉｏ）又は将来の５Ｇシステムなどに応用されてもよい。
【００４１】
特に、本出願の実施例の技術的解決策は非直交マルチアクセス技術に基づく様々な通信システム、例えばスパースコードマルチアクセス（ＳＣＭＡ：Ｓｐａｒｓｅ  Ｃｏｄｅ  Ｍｕｌｔｉｐｌｅ  Ａｃｃｅｓｓ）システム、低密度署名（ＬＤＳ：Ｌｏｗ  Ｄｅｎｓｉｔｙ  Ｓｉｇｎａｔｕｒｅ）システムなどに応用されてもよく、当然、ＳＣＭＡシステムとＬＤＳシステムが通信分野において他の名称と呼ばれてもよく、さらに、本出願の実施例の技術的解決策は非直交マルチアクセス技術を用いたマルチ搬送波伝送システム、例えば非直交マルチアクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチ搬送波（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システムなどに応用されてもよい。
【００４２】
本出願の実施例における端末装置はユーザ装置（ＵＥ：Ｕｓｅｒ  Ｅｑｕｉｐｍｅｎｔ）、アクセス端末、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本出願の実施例において限定されない。
【００４３】
本出願の実施例におけるネットワーク装置は端末装置と通信するための装置であってもよく、該ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  ＮｏｄｅＢ）であってもよいし、クラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよく、本出願の実施例において限定されない。
【００４４】
図１は出願の実施例の一つの応用シーンを示す概略図である。図１における通信システムは端末装置１０とネットワーク装置２０を備えることができる。ネットワーク装置２０は端末装置１０に通信サービスを提供することに用いられ且つコアネットワークにアクセスし、端末装置１０はネットワーク装置２０から送信された同期信号、ブロードキャスト信号などを検索してネットワークにアクセスし、それによってネットワークとの通信を行う。図１に示す矢印は端末装置１０とネットワーク装置２０の間のセルラーリンクによるアップリンク／ダウンリンク伝送を表すことができる。
【００４５】
ＮＲにおけるＰＵＳＣＨに対するＭＩＭＯ技術伝送スキームの設計には、２種類の伝送スキームがある。一つは、コードブックに基づくアップリンク（Ｕｐｌｉｎｋ）マルチインプットマルチアウトプット（Ｃｏｄｅｂｏｏｋ−ｂａｓｅｄ  ＵＬ  ＭＩＭＯ）であって、ＵＥがマルチポートのＳＲＳを送信し、ネットワークがＳＲＳの測定結果に応じて、一つのコードブックセットから一つの指定されたコードブックを選択してＵＥに通知し、ＵＥが受信された、指定されたコードブックに基づいてデータのプリコーディングを行い、伝送する。一つは非コードブックに基づくアップリンクマルチインプットマルチアウトプット（Ｎｏｎ−ｃｏｄｅｂｏｏｋ−ｂａｓｅｄ  ＵＬ  ＭＩＭＯ）であり、このスキームがチャネルの相互異性が確立されている場合に用いられる。ＵＥはネットワークダウンリンク信号に基づき、ダウンリンクチャネル情報を推定し、ダウンリンクチャネル情報に基づいてアップリンクプリコーディングマトリックスを計算し、例えばＵＥは４ポートのアップリンク伝送をサポートすることができ、そのためＵＥは１つのプリコーディングマトリックス（４次元）、又は４つの１次元のプリコーディングベクトルを計算する可能性があり、その後ＵＥは４つのシングルポートのＳＲＳを（順次又は同時に）送信し、各ＳＲＳが上記のプリコーディングマトリックス又はプリコーディングベクトルを用いてプリコーディングされて送信され、ネットワークはＳＲＳに対する測定結果に基づき、一つ又は複数のＳＲＳを示す。ＵＥは示されたＳＲＳに基づいてＰＵＳＣＨ伝送を行う。例えばネットワークが１番目のＳＲＳを示す場合、ＵＥは一つの層（ｌａｙｅｒ）のＰＵＳＣＨを伝送し、そしてそのプリコーディングが１番目のＳＲＳに対応する。
【００４６】
ダウンリンクにおいて様々な異なるダウンリンク基準信号（例えば複数のネットワークノードが異なるチャネル状態情報基準信号（ＣＳＩ−ＲＳ：Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ））があるため、どのＣＳＩ−ＲＳ信号を用いるかをＵＥに通知する必要がある。本出願はこのシーンにおいて、システムの伝送性能を向上させることに有利な配置方法を提案する。
【００４７】
理解すべきものとして、本明細書で用語「システム」と「ネットワーク」は常に本明細書で互換的に使用される。本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【００４８】
また、理解すべきものとして、本明細書での用語「マッピング」と「関連」も本明細書で常に互換的に使用され、例えば、本明細書での「マッピング関係」が実際には「関連関係」である。
【００４９】
図２は本出願の実施例による信号伝送方法１００を示す概略ブロック図である。図２に示すように、該方法１００は以下の一部又は全部の内容を含む。
【００５０】
Ｓ１１０において、ネットワーク装置は端末装置へ少なくとも一つのサウンディング基準信号（ＳＲＳ）リソース及び／又は少なくとも一つのＳＲＳリソースグループとダウンリンク基準信号とのマッピング関係を送信する。
【００５１】
具体的には、ネットワーク装置は端末装置にＳＲＳとダウンリンク基準信号とのマッピング関係を配置することができる。ＳＲＳとは周期的ＳＲＳであってもよいし、非周期的ＳＲＳであってもよく、また半静的（Ｓｅｍｉ−ｐｅｒｓｉｓｔｅｎｔ）ＳＲＳであってもよい。ダウンリンク基準信号とはＣＳＩ−ＲＳであってもよいし、同期信号ブロック（ＳＳＢ：Ｓｙｎｃｈｒｏｎｉｚａｔｉｏｎ  Ｓｉｇｎａｌ  Ｂｌｏｃｋ）などであってもよい。一般的に異なるＳＲＳリソースで伝送されるＳＲＳ信号が異なる信号であり、言い換えれば、ＳＲＳ信号の違いがＳＲＳを伝送するためのＳＲＳリソースで表されてもよい。ネットワーク装置は少なくとも一つのＳＲＳリソース又は少なくとも一つのＳＲＳリソースグループを予め配置することができ、ネットワーク装置はさらに少なくとも一つのＳＲＳリソース内のリソースをダウンリンク基準信号に関連付けることができ、具体的には、ネットワーク装置は少なくとも一つのＳＲＳリソース内の各ＳＲＳリソースを一つのダウンリンク基準信号に関連付けることができる。例えば、ネットワーク装置は端末装置にＳＲＳリソース０、ＳＲＳリソース１とＳＲＳリソース２の合計３つのＳＲＳリソースを配置し、ネットワーク装置はさらにＳＲＳリソース０をダウンリンク基準信号１にマッピングし、ＳＲＳリソース１をダウンリンク基準信号２にマッピングし、ＳＲＳリソース２をダウンリンク基準信号２にマッピングすることができ、そしてネットワーク装置はこのマッピング関係を端末装置に通知することができる。ネットワーク装置は予め配置されたＳＲＳリソースをグループ化し、例えばＳＲＳリソース０をグループ１とし、ＳＲＳリソース１とＳＲＳリソース２をグループ２とすることもでき、ネットワーク装置はさらにグループ１をダウンリンク基準信号１にマッピングし、グループ２をダウンリンク基準信号２にマッピングすることができ、そしてネットワーク装置はこのマッピング関係を端末装置に通知することができる。端末は、このマッピング関係を知った後に、マッピング関係に応じてどのダウンリンク基準信号を用いて送信待ちＳＲＳのプリコーディング情報を計算するかを確定することができる。
【００５２】
したがって、本出願の実施例による信号伝送方法では、ＳＲＳ信号とダウンリンク基準信号とのマッピング関係を端末装置に通知することにより、端末装置は後にどのダウンリンク基準信号を用いて伝送待ちＳＲＳのプリコーディング情報を計算するかを知ることができ、それによってシステムの伝送性能を向上することに有利である。
【００５３】
選択可能に、本出願の実施例では、該ネットワーク装置が該端末装置へ少なくとも一つのＳＲＳリソースとダウンリンク基準信号とのマッピング関係を送信することは、該ネットワーク装置が該端末装置へ該少なくとも一つのＳＲＳリソース内の各ＳＲＳリソースの配置情報を送信し、該各ＳＲＳリソースの配置情報が、該各ＳＲＳリソースに対応するダウンリンク基準信号を示すための指示フィールドをそれぞれ含むことを含む。
【００５４】
具体的には、端末装置とネットワーク装置が無線リソース制御（ＲＲＣ：Ｒａｄｉｏ  Ｒｅｓｏｕｒｃｅ  Ｃｏｎｔｒｏｌ）を確立した後、ネットワーク装置は、端末装置にアップリンク基準信号の送信パラメータを配置し、即ち、ネットワーク装置は端末装置へアップリンク基準信号の配置情報を送信し、ＳＲＳを例とし、ＳＲＳの配置情報がＳＲＳによって占有された帯域幅、ＳＲＳの送信周期（周期的ＳＲＳ）、ＳＲＳ送信のための初期周波数領域オフセットなどのパラメータを含むことができ、これらのパラメータがＳＲＳ送信に必要な無線リソース（周波数領域リソース、時間領域リソースとコード領域リソースなど）を定義している。本出願の実施例では、ネットワーク装置は、それぞれ端末装置に各ＳＲＳリソースを配置することができ、そしてネットワーク装置はＳＲＳリソースの配置情報を用いることができ、即ち各ＳＲＳリソースの配置情報に該ＳＲＳリソースに対応するダウンリンク基準信号を示すための一つの専門の指示フィールドがある。言い換えれば、ネットワーク装置は端末装置へあるＳＲＳの無線リソースを配置するとともに、該ＳＲＳリソースに対応するダウンリンク基準信号を配置することができる。
【００５５】
選択居可能に、本出願の実施例では、該ネットワーク装置が該端末装置へ少なくとも一つのＳＲＳリソースグループとダウンリンク基準信号とのマッピング関係を送信することは、該ネットワーク装置が該端末装置へ少なくとも一つのＳＲＳリソースグループ内の各ＳＲＳリソースグループの配置情報を送信し、該各ＳＲＳリソースグループの配置情報が、該各ＳＲＳリソースグループのＳＲＳリソースに対応するダウンリンク基準信号を示すための少なくとも一つの指示フィールドをそれぞれ含むことを含む。
【００５６】
具体的には、ネットワーク装置は、予め配置された複数のＳＲＳリソースをグループ化し、そして端末装置に各ＳＲＳリソースグループを配置することができ、即ち、各ＳＲＳリソースグループに一つの配置情報があり、ネットワーク装置は各ＳＲＳリソースグループの配置情報を用いることができ、即ち各ＳＲＳリソースグループの配置情報に該ＳＲＳリソースグループのＳＲＳリソースに対応するダウンリンク基準信号を示すための専門の指示フィールドが含まれ、該指示フィールドが１つであってもよいし、複数であってもよい。該指示フィールドが１つである場合、端末装置は、あるＳＲＳリソースグループにおける全てのＳＲＳリソースが該指示フィールドに示されるダウンリンク基準信号に対応すると考えることができ、該指示フィールドが複数である場合、端末装置はあるＳＲＳリソースグループの一部のＳＲＳリソースが複数の指示フィールドのうちのある指示フィールドに示されるダウンリンク基準信号に対応すると考えることができる。理解すべきものとして、本出願の実施例ではどのように一つのＳＲＳリソースグループのＳＲＳリソースとダウンリンク基準信号とのマッピング関係をどのように配置するかが限定されず、該ＳＲＳリソースグループの全てのＳＲＳリソースを一つのダウンリンク基準信号に関連付けることができ、該ＳＲＳリソースグループの一部のＳＲＳリソースを一つのダウンリンク基準信号に関連付けることもでき、該ＳＲＳリソースグループの一部のＳＲＳリソースをダウンリンク基準信号に関連付けなくても良い。
【００５７】
選択可能に、本出願の実施例では、該指示フィールドは具体的にダウンリンク基準信号の識別子又はダウンリンク基準信号の配置情報を示すことに用いられる。
【００５８】
具体的には、該指示フィールドはダウンリンク基準信号の識別子であってもよく、例えば該ダウンリンク基準信号のリソース識別子であってもよい。具体的には、該指示フィールドはＣＳＩ−ＲＳリソースインデックス又はＳＳＢリソースインデックスなどであってもよい。該指示フィールドは直接あるダウンリンク基準信号の配置情報であってもよく、例えばネットワーク装置によって該ダウンリンク基準信号に配置された無線リソース（周波数領域リソース、時間領域リソースとコード領域リソースなど）であってもよい。端末装置があるＳＲＳリソースの配置情報又はあるＳＲＳリソースグループの配置情報のうちの一つの指示フィールドによって示されるダウリンク基準信号の配置情報を受信した場合、端末装置は該ＳＲＳリソース又は該ＳＲＳリソースグループが該ダウンリンク基準信号に関連付けられると考えることができる。
【００５９】
選択可能に、本出願の実施例では、該ネットワーク装置が端末装置へ少なくとも一つのサウンディング基準信号（ＳＲＳ）リソース及び／又は少なくとも一つのＳＲＳリソースグループとダウンリンク基準信号とのマッピング関係を送信することは、該ネットワーク装置が無線リソース制御（ＲＲＣ）シグナリング又はメディアアクセス制御（ＭＡＣ：Ｍｅｄｉａ  Ａｃｃｅｓｓ  Ｃｏｎｔｒｏｌ）シグナリングによって該端末装置へマッピング組み合わせを送信し、該マッピング組み合わせが該少なくとも一つのＳＲＳリソースとダウンリンク基準信号とのマッピング関係及び／又は該少なくとも一つのＳＲＳリソースグループとダウンリンク基準信号とのマッピング関係を含むことを含む。
【００６０】
ネットワーク装置はあるＳＲＳリソース又はあるＳＲＳリソースグループの配置情報にそれに関連付けられたダウンリンク基準信号を含ませなくてもよく、即ち、ネットワーク装置はＳＲＳリソース及びＳＲＳリソースとダウンリンク基準信号とのマッピング関係を同時に配置しなく、ネットワーク装置は端末装置にＳＲＳリソースとダウンリンク基準信号とのマッピング関係を個別のシグナリングによって配置することができる。例えば、ネットワーク装置は個別のシグナリングを介して端末装置へ一つのマッピング組み合わせを送信することができ、該マッピング組み合わせが複数のＳＲＳリソースとダウンリンク基準信号とのマッピング関係及び／又は複数のＳＲＳリソースグループとダウンリンク基準信号とのマッピング関係を含むことができる。言い換えれば、該マッピング組み合わせでは、ＳＲＳリソースをグループに従って一つのダウンリンク基準信号にマッピングすることができ、ＳＲＳリソースを一つのダウンリンク基準信号に個別にマッピングすることもできる。
【００６１】
選択可能に、本出願の実施例では、該マッピング組み合わせはさらに少なくとも一つの状態識別子を含み、該少なくとも一つの状態識別子内の各状態識別子が該少なくとも一つのＳＲＳリソース内の各ＳＲＳリソースとダウンリンク基準信号とのマッピング関係を１対１で識別することに用いられ、又は、該マッピング組み合わせはさらに少なくとも一つの状態識別子を含み、該少なくとも一つの状態識別子内の各状態識別子が該少なくとも一つのＳＲＳリソースグループ内の各ＳＲＳリソースグループとダウンリンク基準信号とのマッピング関係を１対１で識別することに用いられる。
【００６２】
該マッピング組み合わせは一つのマッピングテーブルであってもよく、テーブル１に示される。
【００６３】
【表１】
2021508417.tif 000003
【００６４】
具体的には、テーブル１に示すように、ネットワーク装置は各マッピング関係に一つの状態識別子を配置することができ、端末がある状態識別子を取得した場合、端末装置は該状態識別子に対応するマッピング関係を取得することができる。例えば、ネットワーク装置が状態識別子１を端末装置に示す場合、端末装置は、テーブル１からＳＲＳリソース識別子１又はＳＲＳリソースグループ識別子１とダウンリンク基準信号識別子１とのマッピング関係を取得することができ、さらに端末装置はネットワーク装置によって示された伝送待ちＳＲＳリソースに基づき、それに関連付けられたダウンリンク基準信号を知ることができる。理解すべきものとして、テーブル１における状態識別３のように、状態識別子によって識別されるマッピング関係はＳＲＳリソースとダウンリンク基準信号が有するマッピング関係であってもよく、あるＳＲＳリソース又はあるＳＲＳリソースグループとそれに関連付けられないダウンリンク基準信号がマッピング関係であると考えてもよく、本実施例はこれに限定されない。
【００６５】
ネットワーク装置は上位層シグナリング、例えばＲＲＣシグナリング又はＭＡＣシグナリングによって端末装置へ該マッピング組み合わせを送信することができ、ネットワーク装置はシステムメッセージ、ブロードキャストメッセージなどによって端末装置へ該マッピング組み合わせを送信することもでき、本出願の実施例はこれに限定されない。
【００６６】
選択可能に、本出願の実施例では、該方法は、さらに該ネットワーク装置が該端末装置へ第一の指示情報を送信し、該第一の指示情報が該ネットワーク装置へ該マッピングン関係を有する第一のＳＲＳを送信するように該端末装置をトリガすることに用いられることを含む。
【００６７】
以上から分かるように、ネットワーク装置は、あるＳＲＳリソースでＳＲＳを送信し、又はあるＳＲＳリソースグループでＳＲＳを送信するように端末装置をトリガすることができ、端末装置はどのＳＲＳリソース又はどのＳＲＳリソースグループを知った後に、上記の様々なマッピング関係からそれに対応するダウンリンク基準信号を取得することができ、さらに伝送待ちＳＲＳのプリコーディング情報を計算し、計算されたプリコーディング情報を用いてネットワーク装置へ該ＳＲＳを送信することができる。ネットワーク装置はＲＲＣ及び／又はＭＡＣシグナリング及び／又はダウンリンク制御情報（ＤＣＩ：Ｄｏｗｎｌｉｎｋ  Ｃｏｎｔｒｏｌ  Ｉｎｆｏｒｍａｔｉｏｎ）シグナリングによってあるＳＲＳリソース又はＳＲＳリソースグループをトリガして送信することができる。該指示情報は伝送待ちＳＲＳリソースを直接示すことができ、該伝送待ちＳＲＳリソースと関連するいくつかの情報、例えば伝送待ちＳＲＳリソースと関連するダウンリンク基準信号を間接的に送信することもできる。
【００６８】
選択可能に、本出願の実施例では、該方法は、さらに該ネットワーク装置が該端末装置へ第二の指示情報を送信し、該第二の指示情報が、該ネットワーク装置へ該第一の状態識別子によって識別されるマッピング関係を有するＳＲＳを送信するように該端末装置をトリガするように、該少なくとも一つの状態識別子内の第一の状態識別子を示すことに用いられることを含む。
【００６９】
具体的には、ネットワーク装置がテーブル１に示されるマッピング組み合わせを端末装置に配置する場合、ネットワーク装置は端末装置へある状態識別子を直接示することができ、そのため端末装置は該状態識別子によって識別されるマッピング関係におけるＳＲＳリソースとダウンリンク基準信号を取得することができ、さらに端末装置は伝送待ちＳＲＳリソースを知ることができる。
【００７０】
選択可能に、本出願の実施例では、該ネットワーク装置が端末装置へ少なくとも一つのサウンディング基準信号（ＳＲＳ）リソース及び／又は少なくとも一つのＳＲＳリソースグループとダウンリンク基準信号とのマッピング関係を送信することは、該ネットワーク装置が該端末装置へ該少なくとも一つのＳＲＳリソースとダウンリンク基準信号の送信リソースとの第一のタイムシーケンス関係を送信し、該第一のタイムシーケンス関係が該少なくとも一つのＳＲＳリソースとダウンリンク基準信号とのマッピング関係を示すことに用いられること、及び／又は該ネットワーク装置が該端末装置へ該少なくとも一つのＳＲＳリソースグループとダウンリンク基準信号の送信リソースとの第二のタイムシーケンス関係を送信し、該第二のタイムシーケンス関係が該少なくとも一つのＳＲＳリソースグループとダウンリンク基準信号とのマッピング関係を示すことに用いられることを含む。
【００７１】
選択可能に、本出願の実施例では、該ネットワーク装置が端末装置へ少なくとも一つのサウンディング基準信号（ＳＲＳ）リソース及び／又は少なくとも一つのＳＲＳリソースグループとダウンリンク基準信号とのマッピング関係を送信することは、該ネットワーク装置が該少なくとも一つのＳＲＳリソースでＳＲＳを送信するためのトリガ信号とダウンリンク基準信号との第三のタイムシーケンス関係を該端末装置に送信し、該第三のタイムシーケンス関係が該少なくとも一つのＳＲＳリソースとダウンリンク基準信号とのマッピング関係を示すことに用いられること、及び／又は該ネットワーク装置が該少なくとも一つのＳＲＳリソースグループでＳＲＳを送信するためのトリガ信号とダウンリンク基準信号との第四のタイムシーケンス関係を該端末装置に送信し、該第四のタイムシーケンス関係が該少なくとも一つのＳＲＳリソースグループとダウンリンク基準信号とのマッピング関係を示すことに用いられることを含む。
【００７２】
具体的には、本出願の実施例では、ネットワーク装置はＳＲＳリソースとダウンリンク基準信号とのマッピング関係を直接配置しなくてもよく、ネットワーク装置は端末装置にＳＲＳリソースとダウンリンク基準信号とのタイムシーケンス関係を配置することでＳＲＳリソースとダウンリンク基準信号とのマッピング関係を表すことができる。例えば、ネットワーク装置は各ＳＲＳリソースの時間領域上の前のダウンリンク基準信号がそれに関連付けられると端末装置と定めることができる。そのため、端末装置は、ＳＲＳリソースとダウンリンク基準信号とのタイムシーケンス関係を取得した後、ネットワーク装置と定められたルールに従ってあるＳＲＳリソースに関連付けられたダウンリンク基準信号を確定することができる。同様に、ＳＲＳリソースグループとダウンリンク基準信号とのタイムシーケンス関係がＳＲＳリソースグループとダウンリンク基準信号とのマッピング関係を表すこともでき、ここで説明を省略する。
【００７３】
ネットワーク装置は端末装置にＳＲＳのトリガ信号とダウンリンク基準信号とのタイムシーケンス関係を配置することでＳＲＳリソースとダウンリンク基準信号とのマッピング関係を表すこともできる。例えば、ネットワーク装置は各ＳＲＳリソースのトリガ信号の時間領域上の前のダウンリンク基準信号がそれに関連付けられると考えられてもよいと端末装置と定めることができる。そのため、端末装置は、ＳＲＳのトリガ信号とダウンリンク基準信号とのタイムシーケンス関係を取得した後、ネットワーク装置と定められたルールに従ってあるＳＲＳリソースに関連付けられたダウンリンク基準信号を確定することができる。同様に、ＳＲＳリソースグループのトリガ信号とダウンリンク基準信号とのタイムシーケンス関係がＳＲＳリソースグループとダウンリンク基準信号とのマッピング関係を表すこともでき、ここで説明を省略する。
【００７４】
図３は本出願の実施例による信号伝送方法２００を示す概略ブロック図である。図３に示すように、該方法２００は以下の一部又は全部の内容を含む。
【００７５】
Ｓ２１０において、端末装置はネットワーク装置から送信された少なくとも一つのサウンディング基準信号（ＳＲＳ）リソース及び／又は少なくとも一つのＳＲＳリソースグループとダウンリンク基準信号とのマッピング関係を受信する。
【００７６】
したがって、本出願の実施例による信号伝送方法では、ＳＲＳ信号とダウンリンク基準信号とのマッピング関係を端末装置に通知することにより、端末装置は後にどのダウンリンク基準信号を用いて伝送待ちＳＲＳのプリコーディング情報を計算するかを知ることができ、それによってシステムの伝送性能を向上することに有利である。
【００７７】
選択可能に、本出願の実施例では、前記端末装置がネットワーク装置から送信された少なくとも一つのサウンディング基準信号（ＳＲＳ）リソースとダウンリンク基準信号とのマッピング関係を受信することは、前記端末装置が前記ネットワーク装置から送信された前記少なくとも一つのＳＲＳリソース内の各ＳＲＳリソースの配置情報を受信し、前記各ＳＲＳリソースの配置情報が、前記各ＳＲＳリソースに対応するダウンリンク基準信号を示すための指示フィールドをそれぞれ含むことを含む。
【００７８】
選択可能に、本出願の実施例では、前記端末装置がネットワーク装置から送信された少なくとも一つのＳＲＳリソースグループとダウンリンク基準信号とのマッピング関係を受信することは、前記端末装置が前記ネットワーク装置から送信された少なくとも一つのＳＲＳリソースグループ内の各ＳＲＳリソースの配置情報を受信し、前記各ＳＲＳリソースグループの配置情報が、前記各ＳＲＳリソースグループのＳＲＳリソースに対応するダウンリンク基準信号を示すための少なくとも一つの指示フィールドをそれぞれ含むことを含む。
【００７９】
選択可能に、本出願の実施例では、前記指示フィールドは具体的にダウンリンク基準信号の識別子又はダウンリンク基準信号の配置情報を示すことに用いられる。
【００８０】
選択可能に、本出願の実施例では、前記端末装置がネットワーク装置から送信された少なくとも一つのサウンディング基準信号（ＳＲＳ）リソース及び／又は少なくとも一つのＳＲＳリソースグループとダウンリンク基準信号とのマッピング関係を受信することは、前記端末装置が、前記ネットワーク装置が無線リソース制御（ＲＲＣ）シグナリング又はメディアアクセス制御（ＭＡＣ）シグナリングによって送信したマッピング組み合わせを受信し、前記マッピング組み合わせが、前記少なくとも一つのＳＲＳリソースとダウンリンク基準信号とのマッピング関係及び／又は前記少なくとも一つのＳＲＳリソースグループとダウンリンク基準信号とのマッピング関係を含むことを含む。
【００８１】
選択可能に、本出願の実施例では、前記マッピング組み合わせはさらに少なくとも一つの状態識別子を含み、前記少なくとも一つの状態識別子内の各状態識別子が、前記少なくとも一つのＳＲＳリソース内の各ＳＲＳリソースとダウンリンク基準信号とのマッピング関係を１対１で識別することに用いられ、又は、前記マッピング組み合わせはさらに少なくとも一つの状態識別子を含み、前記少なくとも一つの状態識別子内の各状態識別子が、前記少なくとも一つのＳＲＳリソースグループ内の各ＳＲＳリソースグループとダウンリンク基準信号とのマッピング関係を１対１で識別することに用いられる。
【００８２】
選択可能に、本出願の実施例では、前記方法は、さらに前記端末装置が前記ネットワーク装置から送信された第一の指示情報を受信し、前記第一の指示情報が前記ネットワーク装置へ前記マッピング関係を有する第一のＳＲＳを送信するように前記端末装置をトリガすることに用いられることと、前記端末装置が前記第一の指示情報と前記マッピング関係に応じて、前記第一のＳＲＳに対応するダウンリンク基準信号を確定することと、前記端末装置が前記第一のＳＲＳに対応するダウンリンク基準信号に基づき、前記第一のＳＲＳのプリコーディング情報を計算することと、前記端末装置が前記プリコーディング情報に基づき、前記ネットワーク装置へ前記第一のＳＲＳを伝送することとを含む。
【００８３】
選択可能に、本出願の実施例では、前記第一の指示情報は前記第一のＳＲＳ及び／又は前記第一のＳＲＳに対応するダウンリンク基準信号を示すことに用いられる。
【００８４】
選択可能に、本出願の実施例では、前記方法は、さらに前記端末装置が前記ネットワーク装置から送信された第二の指示情報を受信し、前記第二の指示情報が前記少なくとも一つの状態識別子のうちの第一の状態識別子を示すことに用いられることと、前記端末装置が前記第一の状態識別子と前記マッピングテーブルに基づき、前記第一の状態識別子に対応する第一のＳＲＳ及び前記第一のＳＲＳに対応するダウンリンク基準信号を確定することと、前記端末装置が前記第一のＳＲＳに対応するダウンリンク信号に基づき、前記第一のＳＲＳのプリコーディング情報を計算することと、前記端末装置が前記プリコーディング情報に基づき、前記ネットワーク装置へ前記第一のＳＲＳを伝送することとを含む。
【００８５】
選択可能に、本出願の実施例では、前記端末装置がネットワーク装置から送信された少なくとも一つのサウンディング基準信号（ＳＲＳ）リソース及び／又は少なくとも一つのＳＲＳリソースグループとダウンリンク基準信号とのマッピング関係を受信することは、前記端末装置が前記ネットワーク装置から送信された前記少なくとも一つのＳＲＳリソースとダウンリンク基準信号の送信リソースとの第一のタイムシーケンス関係を受信し、前記第一のタイムシーケンス関係が、前記少なくとも一つのＳＲＳリソースとダウンリンク基準信号とのマッピング関係を示すことに用いられること、及び／又は前記端末装置が前記ネットワーク装置から送信された前記少なくとも一つのＳＲＳリソースグループとダウンリンク基準信号の送信リソースとの第二のタイムシーケンス関係を受信し、前記第二のタイムシーケンス関係が、前記少なくとも一つのＳＲＳリソースグループとダウンリンク基準信号とのマッピング関係を示すことに用いられることを含む。
【００８６】
選択可能に、本出願の実施例では、前記端末装置がネットワーク装置から送信された少なくとも一つのサウンディング基準信号（ＳＲＳ）リソース及び／又は少なくとも一つのＳＲＳリソースグループとダウンリンク基準信号とのマッピング関係を受信することは、前記端末装置が前記ネットワーク装置から送信された、前記少なくとも一つのＳＲＳリソースでＳＲＳを送信するためのトリガ信号とダウンリンク基準信号との第三のタイムシーケンス関係を受信し、前記第三のタイムシーケンス関係が、前記少なくとも一つのＳＲＳリソースとダウンリンク基準信号とのマッピング関係を示すことに用いられること、及び／又は前記端末装置が前記ネットワーク装置から送信された、前記少なくとも一つのＳＲＳリソースグループでＳＲＳを送信するためのトリガ信号とダウンリンク基準信号との第四のタイムシーケンス関係を受信し、前記第四のタイムシーケンス関係が、前記少なくとも一つのＳＲＳリソースとダウンリンク基準信号とのマッピング関係を示すことに用いられることを含む。
【００８７】
選択可能に、本出願の実施例では、前記ダウンリンク基準信号は、チャンセル状態情報基準信号（ＣＳＩ−ＲＳ）及び／又は同期信号ブロック（ＳＳＢ）を含む。
【００８８】
選択可能に、本出願の実施例では、前記ＳＲＳは非周期的ＳＲＳ、周期的ＳＲＳと半静的ＳＲＳのうちの少なくとも一つを含む。
【００８９】
理解すべきものとして、端末装置から説明される端末装置とネットワーク装置とのインタラクション及び関連特性、機能などがネットワーク装置の関連特性、機能に対応する。そして、関連内容について上記方法１００で詳細に説明され、簡潔にするために、説明を省略する。
【００９０】
また、本出願の様々な実施例では、上記各プロセスの番号の大きさが実行順序を意味せず、各プロセスの実行順序はその機能と内部論理で確定されるべきであり、本出願の実施例の実施プロセスのいかなる限定を構成すべきではないと理解すべきである。
【００９１】
以上に本出願の実施例による信号伝送方法を詳細に説明し、以下に図４〜図７と組み合わせて本出願の実施例による信号伝送方装置を説明し、方法の実施例で説明される技術的特徴が以下の装置の実施例に適用する。
【００９２】
図４は本出願の実施例によるネットワーク装置３００を示す概略ブロック図である。図４に示すように、該ネットワーク装置３００は、送信ユニット３１０を備える。
【００９３】
送信ユニット３１０は、端末装置へ少なくとも一つのサウンディング基準信号（ＳＲＳ）リソース及び／又は少なくとも一つのＳＲＳリソースグループとダウンリンク基準信号とのマッピング関係を送信するように構成される。
【００９４】
したがって、本出願の実施例によるネットワーク装置では、ＳＲＳ信号とダウンリンク基準信号とのマッピング関係を端末装置に通知することにより、端末装置は後にどのダウンリンク基準信号を用いて伝送待ちＳＲＳのプリコーディング情報を計算するかを知ることができ、それによってシステムの伝送性能を向上することに有利である。
【００９５】
選択可能に、本出願の実施例では、該送信ユニットは具体的に該端末装置へ該少なくとも一つのＳＲＳリソース内の各ＳＲＳリソースの配置情報を送信するように構成され、該各ＳＲＳリソースの配置情報が、該各ＳＲＳリソースに対応するダウンリンク基準信号を示すための指示フィールドをそれぞれ含む。
【００９６】
選択可能に、本出願の実施例では、該送信ユニットは具体的に該端末装置へ少なくとも一つのＳＲＳリソースグループ内の各ＳＲＳリソースグループの配置情報を送信するように構成され、該各ＳＲＳリソースグループの配置情報が、該各ＳＲＳリソースグループのＳＲＳリソースに対応する少なくとも一つの指示フィールドをそれぞれ含む。
【００９７】
選択可能に、本出願の実施例では、該指示フィールドは具体的にダウンリンク基準信号の識別子又はダウンリンク基準信号の配置情報を示すことに用いられる。
【００９８】
選択可能に、本出願の実施例では、該送信ユニットは具体的に無線リソース制御（ＲＲＣ）シグナリング又はメディアアクセス制御（ＭＡＣ：Ｍｅｄｉａ  Ａｃｃｅｓｓ  Ｃｏｎｔｒｏｌ）シグナリングによって該端末装置へマッピング組み合わせを送信するように構成され、該マッピング組み合わせが該少なくとも一つのＳＲＳリソースとダウンリンク基準信号とのマッピング関係及び／又は該少なくとも一つのＳＲＳリソースグループとダウンリンク基準信号とのマッピング関係を含む。
【００９９】
選択可能に、本出願の実施例では、該マッピング組み合わせはさらに少なくとも一つの状態識別子を含み、該少なくとも一つの状態識別子内の各状態識別子が該少なくとも一つのＳＲＳリソース内の各ＳＲＳリソースとダウンリンク基準信号とのマッピング関係を１対１で識別することに用いられ、又は、該マッピング組み合わせはさらに少なくとも一つの状態識別子を含み、該少なくとも一つの状態識別子内の各状態識別子が該少なくとも一つのＳＲＳリソースグループ内の各ＳＲＳリソースグループとダウンリンク基準信号とのマッピング関係を１対１で識別することに用いられる。
【０１００】
選択可能に、本出願の実施例では、該送信ユニットはさらに該端末装置へ第一の指示情報を送信するように構成され、該第一の指示情報が該ネットワーク装置へ該マッピングン関係を有する第一のＳＲＳを送信するように該端末装置をトリガすることに用いられる。
【０１０１】
選択可能に、本出願の実施例では、該第一の指示情報は該第一のＳＲＳ及び／又は該第一のＳＲＳに対応するダウンリンク基準信号を示すことに用いられる。
【０１０２】
選択可能に、本出願の実施例では、該送信ユニットはさらに該端末装置へ第二の指示情報を送信するように構成され、該第二の指示情報が、該ネットワーク装置へ該第一の状態識別子によって識別されるマッピング関係を有するＳＲＳを送信するように該端末装置をトリガするように、該少なくとも一つの状態識別子内の第一の状態識別子を示すことに用いられる。
【０１０３】
選択可能に、本出願の実施例では、該送信ユニットは具体的に該端末装置へ該少なくとも一つのＳＲＳリソースとダウンリンク基準信号の送信リソースとの第一のタイムシーケンス関係を送信するように構成され、該第一のタイムシーケンス関係が該少なくとも一つのＳＲＳリソースとダウンリンク基準信号とのマッピング関係を示すことに用いられ、及び／又は該端末装置へ該少なくとも一つのＳＲＳリソースグループとダウンリンク基準信号の送信リソースとの第二のタイムシーケンス関係を送信するように構成され、該第二のタイムシーケンス関係が該少なくとも一つのＳＲＳリソースグループとダウンリンク基準信号とのマッピング関係を示すことに用いられる。
【０１０４】
選択可能に、本出願の実施例では、該送信ユニットは具体的に該少なくとも一つのＳＲＳリソースでＳＲＳを送信するためのトリガ信号とダウンリンク基準信号との第三のタイムシーケンス関係を該端末装置に送信するように構成され、該第三のタイムシーケンス関係が該少なくとも一つのＳＲＳリソースとダウンリンク基準信号とのマッピング関係を示すことに用いられ、及び／又は少なくとも一つのＳＲＳリソースグループでＳＲＳを送信するためのトリガ信号とダウンリンク基準信号との第四のタイムシーケンス関係を該端末装置に送信するように構成され、該第四のタイムシーケンス関係が該少なくとも一つのＳＲＳリソースグループとダウンリンク基準信号とのマッピング関係を示すことに用いられる。
【０１０５】
選択可能に、本出願の実施例では、該ダウンリンク基準信号は、チャンセル状態情報基準信号（ＣＳＩ−ＲＳ）及び／又は同期信号ブロック（ＳＳＢ）を含む。
【０１０６】
選択可能に、本出願の実施例では、該ＳＲＳは非周期的ＳＲＳ、周期的ＳＲＳと半静的ＳＲＳのうちの少なくとも一つを含む。
【０１０７】
理解すべきものとして、本出願の実施例によるネットワーク装置３００は本出願の方法の実施例におけるネットワーク装置に対応してもよく、且つネットワーク装置３００の各ユニットの上記と他の操作及び／又は機能はそれぞれ図２の方法におけるネットワーク装置の対応するプロセスを実現するためのものであり、簡潔するために、ここでは説明を省略する。
【０１０８】
図５は本出願の実施例による端末装置４００を示す概略ブロック図である。図５に示すように、該端末装置４００は、受信ユニットを備える。
【０１０９】
受信ユニットは、ネットワーク装置から送信された少なくとも一つのサウンディング基準信号（ＳＲＳ）リソース及び／又は少なくとも一つのＳＲＳリソースグループとダウンリンク基準信号とのマッピング関係を受信するように構成される。
【０１１０】
したがって、本出願の実施例による端末装置では、ネットワーク装置によって通知されたＳＲＳ信号とダウンリンク基準信号とのマッピング関係を受信することにより、端末装置は後にどのダウンリンク基準信号を用いて伝送待ちＳＲＳのプリコーディング情報を計算するかを知ることができ、それによってシステムの伝送性能を向上することに有利である。
【０１１１】
選択可能に、本出願の実施例では、該受信ユニットは具体的に該ネットワーク装置から送信された該少なくとも一つのＳＲＳリソース内の各ＳＲＳリソースの配置情報を受信するように構成され、該各ＳＲＳリソースの配置情報が、該各ＳＲＳリソースに対応するダウンリンク基準信号を示すための指示フィールドをそれぞれ含む。
【０１１２】
選択可能に、本出願の実施例では、該受信ユニットは具体的に該ネットワーク装置から送信された少なくとも一つのＳＲＳリソースグループ内の各ＳＲＳリソースグループの配置情報を受信するように構成され、該各ＳＲＳリソースグループの配置情報が、該各ＳＲＳリソースグループのＳＲＳリソースに対応するダウンリンク基準信号を示すための少なくとも一つの指示フィールドをそれぞれ含む。
【０１１３】
選択可能に、本出願の実施例では、該指示フィールドは具体的にダウンリンク基準信号の識別子又はダウンリンク基準信号の配置情報を示すことに用いられる。
【０１１４】
選択可能に、本出願の実施例では、該受信ユニットは具体的に該ネットワーク装置が無線リソース制御（ＲＲＣ）シグナリング又はメディアアクセス制御（ＭＡＣ：Ｍｅｄｉａ  Ａｃｃｅｓｓ  Ｃｏｎｔｒｏｌ）シグナリングによって送信したマッピング組み合わせを受信するように構成され、該マッピング組み合わせが該少なくとも一つのＳＲＳリソースとダウンリンク基準信号とのマッピング関係及び／又は該少なくとも一つのＳＲＳリソースグループとダウンリンク基準信号とのマッピング関係を含む。
【０１１５】
選択可能に、本出願の実施例では、該マッピング組み合わせはさらに少なくとも一つの状態識別子を含み、該少なくとも一つの状態識別子内の各状態識別子が該少なくとも一つのＳＲＳリソース内の各ＳＲＳリソースとダウンリンク基準信号とのマッピング関係を１対１で識別することに用いられ、又は、該マッピング組み合わせはさらに少なくとも一つの状態識別子を含み、該少なくとも一つの状態識別子内の各状態識別子が該少なくとも一つのＳＲＳリソースグループ内の各ＳＲＳリソースグループとダウンリンク基準信号とのマッピング関係を１対１で識別することに用いられる。
【０１１６】
選択可能に、本出願の実施例では、該受信ユニットは、さらに該ネットワーク装置から送信された第一の指示情報を受信するように構成され、該第一の指示情報が該ネットワーク装置へ該マッピング関係を有する第一のＳＲＳを送信するように該端末装置をトリガすることに用いられ、該端末装置はさらに該第一の指示情報と該マッピング関係に応じて、該第一のＳＲＳに対応するダウンリンク基準信号を確定するように構成される第一の確定ユニットと、該第一のＳＲＳに対応するダウンリンク基準信号に基づき、該第一のＳＲＳのプリコーディング情報を計算するように構成される第一の計算ユニットと、該プリコーディング情報に基づき、該ネットワーク装置へ該第一のＳＲＳを伝送するように構成される送信ユニットとを備える。
【０１１７】
選択可能に、本出願の実施例では、該第一の指示情報は該第一のＳＲＳ及び／又は該第一のＳＲＳに対応するダウンリンク基準信号を示すことに用いられる。
【０１１８】
選択可能に、本出願の実施例では、該受信ユニットは、さらに該ネットワーク装置から送信された第二の指示情報を受信するように構成され、該第二の指示情報が該少なくとも一つの状態識別子のうちの第一の状態識別子を示すことに用いられ、該端末装置はさらに該第一の状態識別子と該マッピングテーブルに基づき、該第一の状態識別子に対応する第一のＳＲＳ及び該第一のＳＲＳに対応するダウンリンク基準信号を確定するように構成される第二の確定ユニットと、該第一のＳＲＳに対応するダウンリンク基準信号に基づき、該第一のＳＲＳのプリコーディング情報を計算するように構成される第二の計算ユニットと、該プリコーディング情報に基づき、該ネットワーク装置へ該第一のＳＲＳを伝送するように構成される第二の送信ユニットとを備える。
【０１１９】
選択可能に、本出願の実施例では、該受信ユニットは具体的に該ネットワーク装置から送信された該少なくとも一つのＳＲＳリソースとダウンリンク基準信号の送信リソースとの第一のタイムシーケンス関係を送信するように構成され、該第一のタイムシーケンス関係が該少なくとも一つのＳＲＳリソースとダウンリンク基準信号とのマッピング関係を示すことに用いられ、及び／又は該ネットワーク装置から送信された該少なくとも一つのＳＲＳリソースグループとダウンリンク基準信号の送信リソースとの第二のタイムシーケンス関係を送信するように構成され、該第二のタイムシーケンス関係が該少なくとも一つのＳＲＳリソースグループとダウンリンク基準信号とのマッピング関係を示すことに用いられる。
【０１２０】
選択可能に、本出願の実施例では、該受信ユニットは具体的に該ネットワーク装置から送信された、該少なくとも一つのＳＲＳリソースでＳＲＳを送信するためのトリガ信号とダウンリンク基準信号との第三のタイムシーケンス関係を受信するように構成され、該第三のタイムシーケンス関係が該少なくとも一つのＳＲＳリソースとダウンリンク基準信号とのマッピング関係を示すことに用いられ、及び／又は該ネットワーク装置から送信された該少なくとも一つのＳＲＳリソースグループでＳＲＳを送信するためのトリガ信号とダウンリンク基準信号との第四のタイムシーケンス関係を受信するように構成され、該第四のタイムシーケンス関係が該少なくとも一つのＳＲＳリソースとダウンリンク基準信号とのマッピング関係を示すことに用いられる。
【０１２１】
選択可能に、本出願の実施例では、該ダウンリンク基準信号は、チャンセル状態情報基準信号（ＣＳＩ−ＲＳ）及び／又は同期信号ブロック（ＳＳＢ）を含む。
【０１２２】
選択可能に、本出願の実施例では、該ＳＲＳは非周期的ＳＲＳ、周期的ＳＲＳと半静的ＳＲＳのうちの少なくとも一つを含む。
【０１２３】
理解すべきものとして、本出願の実施例による端末装置４００は本出願の方法の実施例における端末装置に対応してもよく、且つ端末装置４００の各ユニットの上記と他の操作及び／又は機能はそれぞれ図３の方法における端末装置の対応するプロセスを実現するためのものであり、簡潔するために、ここでは説明を省略する。
【０１２４】
図６に示すように、本出願の実施例はさらに図２の方法１００に対応するネットワーク装置のコンテンツを実行することに用いられてもよい図４のネットワーク装置３００とすることができるネットワーク装置５００を提供する。該ネットワーク装置５００は、入力インタフェース５１０、出力インタフェース５２０、プロセッサ５３０及びメモリ５４０を備え、該入力インタフェース５１０、出力インタフェース５２０、プロセッサ５３０とメモリ５４０がバスシステムを介して接続されてもよい。該メモリ５４０はプログラム、命令又はコードを記憶するように構成される。該プロセッサ５３０は信号を受信するように入力インタフェース５１０を制御し、信号を送信するように出力インタフェース５２０を制御し、前記方法の実施例における操作を完了するために、該メモリ５４０におけるプログラム、命令又はコードを実行するように構成される。
【０１２５】
したがって、本出願の実施例によるネットワーク装置では、ＳＲＳ信号とダウンリンク基準信号とのマッピング関係を端末装置に通知することにより、端末装置は後にどのダウンリンク基準信号を用いて伝送待ちＳＲＳのプリコーディング情報を計算するかを知ることができ、それによってシステムの伝送性能を向上することに有利である。
【０１２６】
理解すべきものとして、本出願の実施例では、該プロセッサ５３０は中央処理ユニット（ＣＰＵ：Ｃｅｎｔｒａｌ  Ｐｒｏｃｅｓｓｉｎｇ  Ｕｎｉｔ）であってもよく、該プロセッサ５３０はさらに他の汎用プロセッサ、デジタル信号プロセッサ、専用集積回路、フィールドプログラマブルゲートアレイ又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１２７】
該メモリ５４０は読み取り専用メモリとランダムアクセスメモリを含み、そしてプロセッサ５３０へ命令とデータを提供することができる。メモリ５４０の一部は不揮発性ランダムアクセスメモリを含むことができる。例えば、メモリ５４０は装置タイプの情報を記憶することもできる。
【０１２８】
実施プロセスでは、上記方法の各内容は、プロセッサ５３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ５４０に位置し、プロセッサ５３０はメモリ５４０における情報を読み取り、そのハードウェアと組み合わせて上記方法の内容を完了する。繰り返しを回避するために、ここで詳細な説明を省略する。
【０１２９】
一つの具体的な実施形態では、ネットワーク装置３００における送信ユニットは図６における出力インタフェース５２０によって実現されてもよい。
【０１３０】
図７に示すように、本出願の実施例はさらに図３の方法２００に対応する端末装置のコンテンツを実行することに用いられてもよい図５の端末装置４００とすることができる端末装置６００を提供する。該端末装置６００は、入力インタフェース６１０、出力インタフェース６２０、プロセッサ６３０及びメモリ６４０を備え、該入力インタフェース６１０、出力インタフェース６２０、プロセッサ６３０とメモリ６４０がバスシステムを介して接続されてもよい。該メモリ６４０はプログラム、命令又はコードを記憶するように構成される。該プロセッサ６３０は信号を受信するように入力インタフェース６１０を制御し、信号を送信するように出力インタフェース６２０を制御し、前記方法の実施例における操作を完了するために、該メモリ６４０におけるプログラム、命令又はコードを実行するように構成される。
【０１３１】
したがって、本出願の実施例による端末装置では、ネットワーク装置によって通知されたＳＲＳ信号とダウンリンク基準信号とのマッピング関係を受信することにより、端末装置は後にどのダウンリンク基準信号を用いて伝送待ちＳＲＳのプリコーディング情報を計算するかを知ることができ、それによってシステムの伝送性能を向上することに有利である。
【０１３２】
理解すべきものとして、本発明の実施例では、該プロセッサ６３０は中央処理ユニット（ＣＰＵ：Ｃｅｎｔｒａｌ  Ｐｒｏｃｅｓｓｉｎｇ  Ｕｎｉｔ）であってもよく、該プロセッサ６３０はさらに他の汎用プロセッサ、デジタル信号プロセッサ、専用集積回路、フィールドプログラマブルゲートアレイ又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１３３】
該メモリ６４０は読み取り専用メモリとランダムアクセスメモリを含み、そしてプロセッサ６３０へ命令とデータを提供することができる。メモリ６４０の一部はさらに不揮発性ランダムアクセスメモリを含むことができる。例えば、メモリ６４０はさらに装置タイプの情報を記憶することができる。
【０１３４】
実施プロセスでは、上記方法の各内容は、プロセッサ６３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ６４０に位置し、プロセッサ６３０はメモリ６４０における情報を読み取り、そのハードウェアと組み合わせて上記方法の内容を完了する。繰り返しを回避するために、ここで詳細な説明を省略する。
【０１３５】
一つの具体的な実施形態では、端末装置４００における受信ユニットは、図７における入力インタフェース６１０によって実現されてもよく、端末装置４００における各確定ユニットと各計算ユニットは図７におけるプロセッサ６３０によって実現されてもよく、端末装置４００における各送信ユニットは図７における出力インタフェース６２０によって実現されてもよい。
【０１３６】
当業者であれば、本明細書で開示される実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウエア又はソフトウエアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【０１３７】
当業者は、便利及び簡潔に説明するために、上記のシステム、装置及びユニットの具体的な動作プロセスについて、前記方法の実施例における対応するプロセスを参照でき、ここで説明を省略することを明確に理解することができる。
【０１３８】
本出願が提供するいくつかの実施例では、開示されるシステム、装置及び方法は、他の方式により実現されてもよいと理解すべきである。例えば、上記の装置の実施例は例示的なものだけであり、例えば、該ユニットの区分は、論理機能的区分だけであり、実際に実施する時に他の区分方式もあり得て、例えば複数のユニット又は構成要素は組み合わせられてもよく又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１３９】
分離部材として説明される該ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワークユニットに分布してもよい。実際のニーズに応じてそのうちの一部又は全てのユニットを選択して本実施例の解決策の目的を達成することができる。
【０１４０】
また、本出願の各実施例における各機能ユニットは一つの処理ユニットに統合されてもよく、個々のユニットは単独で物理的に存在してもよく、二つ又は二つ以上のユニットは一つのユニットに統合されてもよい。
【０１４１】
該機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１４２】
以上は、本出願の実施例の具体的な実施形態だけであるが、本出願の保護範囲はこれに制限されず、当業者が本出願で開示された技術範囲内で容易に想到し得る変化又は入れ替わりが全て本出願の保護範囲内に含まれるべきである。従って、本出願の保護範囲は請求項の保護範囲に準拠するべきである。
【図１】
2021508417.tif 000004
【図２】
2021508417.tif 000005
【図３】
2021508417.tif 000006
【図４】
2021508417.tif 000007
【図５】
2021508417.tif 000008
【図６】
2021508417.tif 000009
【図７】
2021508417.tif 000010
【手続補正書】
【提出日】令和2年10月12日(2020.10.12)
【手続補正１】
【補正対象書類名】明細書
【補正対象項目名】全文
【補正方法】変更
【補正の内容】
【発明の詳細な説明】
【技術分野】
【０００１】
本出願の実施例は、通信分野に関し、且つより具体的には、信号伝送方法、ネットワーク装置と端末装置に関する。
【背景技術】
【０００２】
新しい無線（ＮＲ：Ｎｅｗ  Ｒａｄｉｏ）における物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）に対するマルチインプットマルチアウトプット（ＭＩＭＯ：Ｍｕｌｔｉｐｌｅ−Ｉｎｐｕｔ  Ｍｕｌｔｉｐｌｅ−Ｏｕｔｐｕｔ）技術伝送スキームの設計では、非コードブックに基づくアップリンク（Ｕｐｌｉｎｋ）マルチインプットマルチアウトプット（Ｎｏｎ−ｃｏｄｅｂｏｏｋ−ｂａｓｅｄ  ＵＬ  ＭＩＭＯ）とは、端末がネットワークのダウンリンク基準信号に基づき、ダウンリンクチャネル情報を推定し、さらにダウンリンクチャネル情報に基づいてサウンディング基準信号（ＳＲＳ：Ｓｏｕｎｄｉｎｇ  Ｒｅｆｅｒｅｎｃｅ  Ｓｉｇｎａｌ）のプリコーディング情報を計算し、さらに端末が計算されたアップリンクプリコーディング情報に基づいてアップリンクＳＲＳを伝送することができることを指す。しかし、ダウンリンクにおいて様々な異なるダウンリンク基準信号があり、端末がどのダウンリンク基準信号を用いて伝送待ちのＳＲＳのプリコーディング情報を計算するかを知らないため、システムの伝送性能が低下する。
【発明の概要】
【発明が解決しようとする課題】
【０００３】
これに鑑みて、本出願の実施例は、システムの伝送性能を向上させることに有利な信号伝送方法、ネットワーク装置と端末装置を提供する。
【課題を解決するための手段】
【０００４】
第一の態様による信号伝送方法は、ネットワーク装置が端末装置へ少なくとも一つのサウンディング基準信号（ＳＲＳ）リソース及び／又は少なくとも一つのＳＲＳリソースグループとダウンリンク基準信号とのマッピング関係を送信することを含む。
【０００５】
ＳＲＳ信号とダウンリンク基準信号とのマッピング関係を端末装置に通知することにより、端末装置は後にどのダウンリンク基準信号を用いて伝送待ちＳＲＳのプリコーディング情報を計算するかを知ることができ、それによってシステムの伝送性能を向上することに有利である。
【０００６】
一つの可能な実施形態では、該ネットワーク装置が該端末装置へ少なくとも一つのＳＲＳリソースとダウンリンク基準信号とのマッピング関係を送信することは、該ネットワーク装置が該端末装置へ該少なくとも一つのＳＲＳリソース内の各ＳＲＳリソースの配置情報を送信し、該各ＳＲＳリソースの配置情報が、該各ＳＲＳリソースに対応するダウンリンク基準信号を示すための指示フィールドをそれぞれ含むことを含む。
【０００７】
一つの可能な実施形態では、該ネットワーク装置が該端末装置へ少なくとも一つのＳＲＳリソースグループとダウンリンク基準信号とのマッピング関係を送信することは、該ネットワーク装置が該端末装置へ少なくとも一つのＳＲＳリソースグループ内の各ＳＲＳリソースグループの配置情報を送信し、該各ＳＲＳリソースグループの配置情報が、該各ＳＲＳリソースグループのＳＲＳリソースに対応するダウンリンク基準信号を示すための少なくとも一つの指示フィールドをそれぞれ含むことを含む。
【０００８】
一つの可能な実施形態では、該指示フィールドは具体的にダウンリンク基準信号の識別子又はダウンリンク基準信号の配置情報を示すことに用いられる。
【０００９】
一つの可能な実施形態では、該ネットワーク装置が端末装置へ少なくとも一つのサウンディング基準信号（ＳＲＳ）リソース及び／又は少なくとも一つのＳＲＳリソースグループとダウンリンク基準信号とのマッピング関係を送信することは、該ネットワーク装置が無線リソース制御（ＲＲＣ）シグナリング又はメディアアクセス制御（ＭＡＣ）シグナリングによって該端末装置へマッピング組み合わせを送信し、該マッピング組み合わせが該少なくとも一つのＳＲＳリソースとダウンリンク基準信号とのマッピング関係及び／又は該少なくとも一つのＳＲＳリソースグループとダウンリンク基準信号とのマッピング関係を含むことを含む。
【００１０】
一つの可能な実施形態では、該マッピング組み合わせはさらに少なくとも一つの状態識別子を含み、該少なくとも一つの状態識別子内の各状態識別子が該少なくとも一つのＳＲＳリソース内の各ＳＲＳリソースとダウンリンク基準信号とのマッピング関係を１対１で識別することに用いられ、又は、該マッピング組み合わせはさらに少なくとも一つの状態識別子を含み、該少なくとも一つの状態識別子内の各状態識別子が該少なくとも一つのＳＲＳリソースグループ内の各ＳＲＳリソースグループとダウンリンク基準信号とのマッピング関係を１対１で識別することに用いられる。
【００１１】
一つの可能な実施形態では、該方法は、さらに該ネットワーク装置が該端末装置へ第一の指示情報を送信し、該第一の指示情報が該ネットワーク装置へ該マッピング関係を有する第一のＳＲＳを送信するように該端末装置をトリガすることに用いられることを含む。
【００１２】
一つの可能な実施形態では、該第一の指示情報は該第一のＳＲＳ及び／又は該第一のＳＲＳに対応するダウンリンク基準信号を示すことに用いられる。
【００１３】
一つの可能な実施形態では、該方法は、さらに該ネットワーク装置が該端末装置へ第二の指示情報を送信し、該第二の指示情報が、該ネットワーク装置へ該第一の状態識別子によって識別されるマッピング関係を有するＳＲＳを送信するように該端末装置をトリガするように、該少なくとも一つの状態識別子内の第一の状態識別子を示すことに用いられることを含む。
【００１４】
一つの可能な実施形態では、該ネットワーク装置が端末装置へ少なくとも一つのサウンディング基準信号（ＳＲＳ）リソース及び／又は少なくとも一つのＳＲＳリソースグループとダウンリンク基準信号とのマッピング関係を送信することは、該ネットワーク装置が該端末装置へ該少なくとも一つのＳＲＳリソースとダウンリンク基準信号の送信リソースとの第一のタイムシーケンス関係を送信し、該第一のタイムシーケンス関係が該少なくとも一つのＳＲＳリソースとダウンリンク基準信号とのマッピング関係を示すことに用いられること、及び／又は該ネットワーク装置が該端末装置へ該少なくとも一つのＳＲＳリソースグループとダウンリンク基準信号の送信リソースとの第二のタイムシーケンス関係を送信し、該第二のタイムシーケンス関係が該少なくとも一つのＳＲＳリソースグループとダウンリンク基準信号とのマッピング関係を示すことに用いられることを含む。
【００１５】
一つの可能な実施形態では、該ネットワーク装置が端末装置へ少なくとも一つのサウンディング基準信号（ＳＲＳ）リソース及び／又は少なくとも一つのＳＲＳリソースグループとダウンリンク基準信号とのマッピング関係を送信することは、該ネットワーク装置が該少なくとも一つのＳＲＳリソースでＳＲＳを送信するためのトリガ信号とダウンリンク基準信号との第三のタイムシーケンス関係を該端末装置に送信し、該第三のタイムシーケンス関係が該少なくとも一つのＳＲＳリソースとダウンリンク基準信号とのマッピング関係を示すことに用いられること、及び／又は該ネットワーク装置が該少なくとも一つのＳＲＳリソースグループでＳＲＳを送信するためのトリガ信号とダウンリンク基準信号との第四のタイムシーケンス関係を該端末装置に送信し、該第四のタイムシーケンス関係が該少なくとも一つのＳＲＳリソースグループとダウンリンク基準信号とのマッピング関係を示すことに用いられることを含む。
【００１６】
一つの可能な実施形態では、該ダウンリンク基準信号はチャネル状態情報基準信号（ＣＳＩ−ＲＳ）及び／又は同期信号ブロック（ＳＳＢ）を含む。
【００１７】
一つの可能な実施形態では、該ＳＲＳは非周期的ＳＲＳ、周期的ＳＲＳと半静的ＳＲＳのうちの少なくとも一つを含む。
【００１８】
第二の態様による信号伝送方法は、端末装置がネットワーク装置から送信された少なくとも一つのサウンディング基準信号（ＳＲＳ）リソース及び／又は少なくとも一つのＳＲＳリソースグループとダウンリンク基準信号とのマッピング関係を送信することを含む。
【００１９】
一つの可能な実施形態では、該端末装置がネットワーク装置から送信された少なくとも一つのサウンディング基準信号（ＳＲＳ）リソースとダウンリンク基準信号とのマッピング関係を受信することは、該端末装置が該ネットワーク装置から送信された該少なくとも一つのＳＲＳリソース内の各ＳＲＳリソースの配置情報を受信し、該各ＳＲＳリソースの配置情報が、該各ＳＲＳリソースに対応するダウンリンク基準信号を示すための指示フィールドをそれぞれ含むことを含む。
【００２０】
一つの可能な実施形態では、該端末装置がネットワーク装置から送信された少なくとも一つのＳＲＳリソースグループとダウンリンク基準信号とのマッピング関係を受信することは、該端末装置が該ネットワーク装置から送信された少なくとも一つのＳＲＳリソースグループ内の各ＳＲＳリソースグループの配置情報を受信し、該各ＳＲＳリソースグループの配置情報が、該各ＳＲＳリソースグループのＳＲＳリソースに対応するダウンリンク基準信号を示すための少なくとも一つの指示フィールドをそれぞれ含むことを含む。
【００２１】
一つの可能な実施形態では、該指示フィールドは具体的にダウンリンク基準信号の識別子又はダウンリンク基準信号の配置情報を示すことに用いられる。
【００２２】
一つの可能な実施形態では、該端末装置がネットワーク装置から送信された少なくとも一つのサウンディング基準信号（ＳＲＳ）リソース及び／又は少なくとも一つのＳＲＳリソースグループとダウンリンク基準信号とのマッピング関係を受信することは、該端末装置が、該ネットワーク装置が無線リソース制御（ＲＲＣ）シグナリング又はメディアアクセス制御（ＭＡＣ）シグナリングによって送信したマッピング組み合わせを受信し、該マッピング組み合わせが該少なくとも一つのＳＲＳリソースとダウンリンク基準信号とのマッピング関係及び／又は該少なくとも一つのＳＲＳリソースグループとダウンリンク基準信号とのマッピング関係を含むことを含む。
【００２３】
一つの可能な実施形態では、該マッピング組み合わせはさらに少なくとも一つの状態識別子を含み、該少なくとも一つの状態識別子内の各状態識別子が該少なくとも一つのＳＲＳリソース内の各ＳＲＳリソースとダウンリンク基準信号とのマッピング関係を１対１で識別することに用いられ、又は、該マッピング組み合わせはさらに少なくとも一つの状態識別子を含み、該少なくとも一つの状態識別子内の各状態識別子が該少なくとも一つのＳＲＳリソースグループ内の各ＳＲＳリソースグループとダウンリンク基準信号とのマッピング関係を１対１で識別することに用いられる。
【００２４】
一つの可能な実施形態では、該方法はさらに該端末装置が該ネットワーク装置から送信された第一の指示情報を受信し、該第一の指示情報が該ネットワーク装置へ該マッピング関係を有する第一のＳＲＳを送信するように該端末装置をトリガすることに用いられることと、該端末装置が該第一の指示情報と該マッピング関係に応じて、該第一のＳＲＳに対応するダウンリンク基準信号を確定することと、該端末装置が該第一のＳＲＳに対応するダウンリンク基準信号に基づき、該第一のＳＲＳのプリコーディング情報を計算することと、該端末装置が該プリコーディング情報に基づき、該ネットワーク装置へ該第一のＳＲＳを伝送することとを含む。
【００２５】
一つの可能な実施形態では、該第一の指示情報は該第一のＳＲＳ及び／又は該第一のＳＲＳに対応するダウンリンク基準信号を示すことに用いられる。
【００２６】
一つの可能な実施形態では、該方法は、さらに該端末装置が該ネットワーク装置から送信された第二の指示情報を受信し、該第二の指示情報が該少なくとも一つの状態識別子内の第一の状態識別子を示すことに用いられることと、
該端末装置が該第一の状態識別子と該マッピングテーブルに基づき、該第一の状態識別子に対応する第一のＳＲＳ及び該第一のＳＲＳに対応するダウンリンク基準信号を確定することと、該端末装置が該第一のＳＲＳに対応するダウンリンク基準信号に基づき、該第一のＳＲＳのプリコーディング情報を計算することと、該端末装置が該プリコーディング情報に基づき、該ネットワーク装置へ該第一のＳＲＳを伝送することとを含む。
【００２７】
一つの可能な実施形態では、該端末装置がネットワーク装置から送信された少なくとも一つのサウンディング基準信号（ＳＲＳ）リソース及び／又は少なくとも一つのＳＲＳリソースグループとダウンリンク基準信号とのマッピング関係を受信することは、該端末装置が該ネットワーク装置から送信された該少なくとも一つのＳＲＳリソースとダウンリンク基準信号の送信リソースとの第一のタイムシーケンス関係を受信し、該第一のタイムシーケンス関係が該少なくとも一つのＳＲＳリソースとダウンリンク基準信号とのマッピング関係を示すことに用いられること、及び／又は該端末装置が該ネットワーク装置から送信された該少なくとも一つのＳＲＳリソースグループとダウンリンク基準信号の送信リソースとの第二のタイムシーケンス関係を受信し、該第二のタイムシーケンス関係が該少なくとも一つのＳＲＳリソースグループとダウンリンク基準信号とのマッピング関係を示すことに用いられることを含む。
【００２８】
一つの可能な実施形態では、該端末装置がネットワーク装置から送信された少なくとも一つのサウンディング基準信号（ＳＲＳ）リソース及び／又は少なくとも一つのＳＲＳリソースグループとダウンリンク基準信号とのマッピング関係を受信することは、該端末装置が該ネットワーク装置から送信された、該少なくとも一つのＳＲＳリソースでＳＲＳを送信するためのトリガ信号とダウンリンク基準信号との第三のタイムシーケンス関係を受信し、該第三のタイムシーケンス関係が該少なくとも一つのＳＲＳリソースとダウンリンク基準信号とのマッピング関係を示すことに用いられること、及び／又は該端末装置が該ネットワーク装置から送信された、該少なくとも一つのＳＲＳリソースグループでＳＲＳを送信するためのトリガ信号とダウンリンク基準信号との第四のタイムシーケンス関係を受信し、該第四のタイムシーケンス関係が該少なくとも一つのＳＲＳリソースグループとダウンリンク基準信号とのマッピング関係を示すことに用いられることを含む。
【００２９】
一つの可能な実施形態では、該ダウンリンク基準信号はチャネル状態情報基準信号（ＣＳＩ−ＲＳ）及び／又は同期信号ブロック（ＳＳＢ）を含む。
【００３０】
一つの可能な実施形態では、該ＳＲＳは非周期的ＳＲＳ、周期的ＳＲＳと半静的ＳＲＳのうちの少なくとも一つを含む。
【００３１】
第三の態様によるネットワーク装置は上記第一の態様又は第一の態様のいずれかの可能な実施形態における方法を実行することに用いられる。具体的には、該ネットワーク装置は、上記第一の態様又は第一の態様のいずれかの可能な実施形態における方法を実行するためのユニットを備える。
【００３２】
第四の態様による端末装置は上記第二の態様又は第二の態様のいずれかの可能な実施形態における方法を実行することに用いられる。具体的には、該端末装置は、上記第二の態様又は第二の態様のいずれかの可能な実施形態における方法を実行するためのユニットを備える。
【００３３】
第五の態様によるネットワーク装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは該メモリに記憶された、上記第一の態様又は第一の態様のいずれかの可能な実施形態における方法を実行するための命令を実行するように構成される。
【００３４】
第六の態様による端末装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは該メモリに記憶された、上記第二の態様又は第二の態様のいずれかの可能な実施形態における方法を実行するための命令を実行するように構成する。
【００３５】
第七の態様によるコンピュータ記憶媒体は、上記第一の態様又は第一の態様のいずれかの可能な実施形態における方法、又は上記第二の態様又は第二の態様のいずれかの可能な実施形態における方法を実行するための、上記態様を実行するために設計されたプログラムを含むコンピュータソフトウエア命令を記憶することに用いられる。
【００３６】
第八の態様による命令を含むコンピュータプログラム製品は、コンピュータで実行される場合、コンピュータが上記第一の態様又は第一の態様の任意の選択可能な実施形態における方法、又は上記第二の態様又は第二の態様の任意の選択可能な実施形態における方法を実行する。
【００３７】
本出願のこれらの態様又は他の態様は以下の実施例の説明からより容易に明らかになる
【図面の簡単な説明】
【００３８】
【図１】本出願の実施例の一つの応用シーンを示す概略図である。
【図２】本出願の実施例による信号伝送方法を示す概略ブロック図である。
【図３】本出願の実施例による信号伝送方法を示す別の概略ブロック図である。
【図４】本出願の実施例によるネットワーク装置を示す概略ブロック図である。
【図５】本出願の実施例による端末装置を示す概略ブロック図である。
【図６】本出願の実施例によるネットワーク装置を示す別の概略ブロック図である。
【図７】本出願の実施例による端末装置を示す別の概略ブロック図である。
【発明を実施するための形態】
【００３９】
以下に本発明の実施例の図面と組み合わせながら、本出願の実施例における技術的解決策を明確に、全面的に説明する。
【００４０】
理解すべきものとして、本出願の実施例の技術的解決策は様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｖｅｄ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新しい無線（ＮＲ：Ｎｅｗ  Ｒａｄｉｏ）又は将来の５Ｇシステムなどに応用されてもよい。
【００４１】
特に、本出願の実施例の技術的解決策は非直交マルチアクセス技術に基づく様々な通信システム、例えばスパースコードマルチアクセス（ＳＣＭＡ：Ｓｐａｒｓｅ  Ｃｏｄｅ  Ｍｕｌｔｉｐｌｅ  Ａｃｃｅｓｓ）システム、低密度署名（ＬＤＳ：Ｌｏｗ  Ｄｅｎｓｉｔｙ  Ｓｉｇｎａｔｕｒｅ）システムなどに応用されてもよく、当然、ＳＣＭＡシステムとＬＤＳシステムが通信分野において他の名称と呼ばれてもよく、さらに、本出願の実施例の技術的解決策は非直交マルチアクセス技術を用いたマルチ搬送波伝送システム、例えば非直交マルチアクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチ搬送波（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システムなどに応用されてもよい。
【００４２】
本出願の実施例における端末装置はユーザ装置（ＵＥ：Ｕｓｅｒ  Ｅｑｕｉｐｍｅｎｔ）、アクセス端末、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本出願の実施例において限定されない。
【００４３】
本出願の実施例におけるネットワーク装置は端末装置と通信するための装置であってもよく、該ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  ＮｏｄｅＢ）であってもよいし、クラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよく、本出願の実施例において限定されない。
【００４４】
図１は出願の実施例の一つの応用シーンを示す概略図である。図１における通信システムは端末装置１０とネットワーク装置２０を備えることができる。ネットワーク装置２０は端末装置１０に通信サービスを提供することに用いられ且つコアネットワークにアクセスし、端末装置１０はネットワーク装置２０から送信された同期信号、ブロードキャスト信号などを検索してネットワークにアクセスし、それによってネットワークとの通信を行う。図１に示す矢印は端末装置１０とネットワーク装置２０の間のセルラーリンクによるアップリンク／ダウンリンク伝送を表すことができる。
【００４５】
ＮＲにおけるＰＵＳＣＨに対するＭＩＭＯ技術伝送スキームの設計には、２種類の伝送スキームがある。一つは、コードブックに基づくアップリンク（Ｕｐｌｉｎｋ）マルチインプットマルチアウトプット（Ｃｏｄｅｂｏｏｋ−ｂａｓｅｄ  ＵＬ  ＭＩＭＯ）であって、ＵＥがマルチポートのＳＲＳを送信し、ネットワークがＳＲＳの測定結果に応じて、一つのコードブックセットから一つの指定されたコードブックを選択してＵＥに通知し、ＵＥが受信された、指定されたコードブックに基づいてデータのプリコーディングを行い、伝送する。一つは非コードブックに基づくアップリンクマルチインプットマルチアウトプット（Ｎｏｎ−ｃｏｄｅｂｏｏｋ−ｂａｓｅｄ  ＵＬ  ＭＩＭＯ）であり、このスキームがチャネルの相互異性が確立されている場合に用いられる。ＵＥはネットワークダウンリンク信号に基づき、ダウンリンクチャネル情報を推定し、ダウンリンクチャネル情報に基づいてアップリンクプリコーディングマトリックスを計算し、例えばＵＥは４ポートのアップリンク伝送をサポートすることができ、そのためＵＥは１つのプリコーディングマトリックス（４次元）、又は４つの１次元のプリコーディングベクトルを計算する可能性があり、その後ＵＥは４つのシングルポートのＳＲＳを（順次又は同時に）送信し、各ＳＲＳが上記のプリコーディングマトリックス又はプリコーディングベクトルを用いてプリコーディングされて送信され、ネットワークはＳＲＳに対する測定結果に基づき、一つ又は複数のＳＲＳを示す。ＵＥは示されたＳＲＳに基づいてＰＵＳＣＨ伝送を行う。例えばネットワークが１番目のＳＲＳを示す場合、ＵＥは一つの層（ｌａｙｅｒ）のＰＵＳＣＨを伝送し、そしてそのプリコーディングが１番目のＳＲＳに対応する。
【００４６】
ダウンリンクにおいて様々な異なるダウンリンク基準信号（例えば複数のネットワークノードが異なるチャネル状態情報基準信号（ＣＳＩ−ＲＳ：Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ））があるため、どのＣＳＩ−ＲＳ信号を用いるかをＵＥに通知する必要がある。本出願はこのシーンにおいて、システムの伝送性能を向上させることに有利な配置方法を提案する。
【００４７】
理解すべきものとして、本明細書で用語「システム」と「ネットワーク」は常に本明細書で互換的に使用される。本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【００４８】
また、理解すべきものとして、本明細書での用語「マッピング」と「関連」も本明細書で常に互換的に使用され、例えば、本明細書での「マッピング関係」が実際には「関連関係」である。
【００４９】
図２は本出願の実施例による信号伝送方法１００を示す概略ブロック図である。図２に示すように、該方法１００は以下の一部又は全部の内容を含む。
【００５０】
Ｓ１１０において、ネットワーク装置は端末装置へ少なくとも一つのサウンディング基準信号（ＳＲＳ）リソース及び／又は少なくとも一つのＳＲＳリソースグループとダウンリンク基準信号とのマッピング関係を送信する。
【００５１】
具体的には、ネットワーク装置は端末装置にＳＲＳとダウンリンク基準信号とのマッピング関係を配置することができる。ＳＲＳとは周期的ＳＲＳであってもよいし、非周期的ＳＲＳであってもよく、また半静的（Ｓｅｍｉ−ｐｅｒｓｉｓｔｅｎｔ）ＳＲＳであってもよい。ダウンリンク基準信号とはＣＳＩ−ＲＳであってもよいし、同期信号ブロック（ＳＳＢ：Ｓｙｎｃｈｒｏｎｉｚａｔｉｏｎ  Ｓｉｇｎａｌ  Ｂｌｏｃｋ）などであってもよい。一般的に異なるＳＲＳリソースで伝送されるＳＲＳ信号が異なる信号であり、言い換えば、ＳＲＳ信号の違いがＳＲＳを伝送するためのＳＲＳリソースで表されてもよい。ネットワーク装置は少なくとも一つのＳＲＳリソース又は少なくとも一つのＳＲＳリソースグループを予め配置することができ、ネットワーク装置はさらに少なくとも一つのＳＲＳリソース内のリソースをダウンリンク基準信号に関連付けることができ、具体的には、ネットワーク装置は少なくとも一つのＳＲＳリソース内の各ＳＲＳリソースを一つのダウンリンク基準信号に関連付けることができる。例えば、ネットワーク装置は端末装置にＳＲＳリソース０、ＳＲＳリソース１とＳＲＳリソース２の合計３つのＳＲＳリソースを配置し、ネットワーク装置はさらにＳＲＳリソース０をダウンリンク基準信号１にマッピングし、ＳＲＳリソース１をダウンリンク基準信号２にマッピングし、ＳＲＳリソース２をダウンリンク基準信号２にマッピングすることができ、そしてネットワーク装置はこのマッピング関係を端末装置に通知することができる。ネットワーク装置は予め配置されたＳＲＳリソースをグループ化し、例えばＳＲＳリソース０をグループ１とし、ＳＲＳリソース１とＳＲＳリソース２をグループ２とすることもでき、ネットワーク装置はさらにグループ１をダウンリンク基準信号１にマッピングし、グループ２をダウンリンク基準信号２にマッピングすることができ、そしてネットワーク装置はこのマッピング関係を端末装置に通知することができる。端末は、このマッピング関係を知った後に、マッピング関係に応じてどのダウンリンク基準信号を用いて送信待ちＳＲＳのプリコーディング情報を計算するかを確定することができる。
【００５２】
したがって、本出願の実施例による信号伝送方法では、ＳＲＳ信号とダウンリンク基準信号とのマッピング関係を端末装置に通知することにより、端末装置は後にどのダウンリンク基準信号を用いて伝送待ちＳＲＳのプリコーディング情報を計算するかを知ることができ、それによってシステムの伝送性能を向上することに有利である。
【００５３】
選択可能に、本出願の実施例では、該ネットワーク装置が該端末装置へ少なくとも一つのＳＲＳリソースとダウンリンク基準信号とのマッピング関係を送信することは、該ネットワーク装置が該端末装置へ該少なくとも一つのＳＲＳリソース内の各ＳＲＳリソースの配置情報を送信し、該各ＳＲＳリソースの配置情報が、該各ＳＲＳリソースに対応するダウンリンク基準信号を示すための指示フィールドをそれぞれ含むことを含む。
【００５４】
具体的には、端末装置とネットワーク装置が無線リソース制御（ＲＲＣ：Ｒａｄｉｏ  Ｒｅｓｏｕｒｃｅ  Ｃｏｎｔｒｏｌ）を確立した後、ネットワーク装置は、端末装置にアップリンク基準信号の送信パラメータを配置し、即ち、ネットワーク装置は端末装置へアップリンク基準信号の配置情報を送信し、ＳＲＳを例とし、ＳＲＳの配置情報がＳＲＳによって占有された帯域幅、ＳＲＳの送信周期（周期的ＳＲＳ）、ＳＲＳ送信のための初期周波数領域オフセットなどのパラメータを含むことができ、これらのパラメータがＳＲＳ送信に必要な無線リソース（周波数領域リソース、時間領域リソースとコード領域リソースなど）を定義している。本出願の実施例では、ネットワーク装置は、それぞれ端末装置に各ＳＲＳリソースを配置することができ、そしてネットワーク装置はＳＲＳリソースの配置情報を用いることができ、即ち各ＳＲＳリソースの配置情報に該ＳＲＳリソースに対応するダウンリンク基準信号を示すための一つの専門の指示フィールドがある。言い換えば、ネットワーク装置は端末装置へあるＳＲＳの無線リソースを配置するとともに、該ＳＲＳリソースに対応するダウンリンク基準信号を配置することができる。
【００５５】
選択居可能に、本出願の実施例では、該ネットワーク装置が該端末装置へ少なくとも一つのＳＲＳリソースグループとダウンリンク基準信号とのマッピング関係を送信することは、該ネットワーク装置が該端末装置へ少なくとも一つのＳＲＳリソースグループ内の各ＳＲＳリソースグループの配置情報を送信し、該各ＳＲＳリソースグループの配置情報が、該各ＳＲＳリソースグループのＳＲＳリソースに対応するダウンリンク基準信号を示すための少なくとも一つの指示フィールドをそれぞれ含むことを含む。
【００５６】
具体的には、ネットワーク装置は、予め配置された複数のＳＲＳリソースをグループ化し、そして端末装置に各ＳＲＳリソースグループを配置することができ、即ち、各ＳＲＳリソースグループに一つの配置情報があり、ネットワーク装置は各ＳＲＳリソースグループの配置情報を用いることができ、即ち各ＳＲＳリソースグループの配置情報に該ＳＲＳリソースグループのＳＲＳリソースに対応するダウンリンク基準信号を示すための専門の指示フィールドが含まれ、該指示フィールドが１つであってもよいし、複数であってもよい。該指示フィールドが１つである場合、端末装置は、あるＳＲＳリソースグループにおける全てのＳＲＳリソースが該指示フィールドに示されるダウンリンク基準信号に対応すると考えることができ、該指示フィールドが複数である場合、端末装置はあるＳＲＳリソースグループの一部のＳＲＳリソースが複数の指示フィールドのうちのある指示フィールドに示されるダウンリンク基準信号に対応すると考えることができる。理解すべきものとして、本出願の実施例ではどのように一つのＳＲＳリソースグループのＳＲＳリソースとダウンリンク基準信号とのマッピング関係をどのように配置するかが限定されず、該ＳＲＳリソースグループの全てのＳＲＳリソースを一つのダウンリンク基準信号に関連付けることができ、該ＳＲＳリソースグループの一部のＳＲＳリソースを一つのダウンリンク基準信号に関連付けることもでき、該ＳＲＳリソースグループの一部のＳＲＳリソースをダウンリンク基準信号に関連付けなくても良い。
【００５７】
選択可能に、本出願の実施例では、該指示フィールドは具体的にダウンリンク基準信号の識別子又はダウンリンク基準信号の配置情報を示すことに用いられる。
【００５８】
具体的には、該指示フィールドはダウンリンク基準信号の識別子であってもよく、例えば該ダウンリンク基準信号のリソース識別子であってもよい。具体的には、該指示フィールドはＣＳＩ−ＲＳリソースインデックス又はＳＳＢリソースインデックスなどであってもよい。該指示フィールドは直接あるダウンリンク基準信号の配置情報であってもよく、例えばネットワーク装置によって該ダウンリンク基準信号に配置された無線リソース（周波数領域リソース、時間領域リソースとコード領域リソースなど）であってもい。端末装置があるＳＲＳリソースの配置情報又はあるＳＲＳリソースグループの配置情報のうちの一つの指示フィールドによって示されるダウリンク基準信号の配置情報を受信した場合、端末装置は該ＳＲＳリソース又は該ＳＲＳリソースグループが該ダウンリンク基準信号に関連付けられると考えることができる。
【００５９】
選択可能に、本出願の実施例では、該ネットワーク装置が端末装置へ少なくとも一つのサウンディング基準信号（ＳＲＳ）リソース及び／又は少なくとも一つのＳＲＳリソースグループとダウンリンク基準信号とのマッピング関係を送信することは、該ネットワーク装置が無線リソース制御（ＲＲＣ）シグナリング又はメディアアクセス制御（ＭＡＣ：Ｍｅｄｉａ  Ａｃｃｅｓｓ  Ｃｏｎｔｒｏｌ）シグナリングによって該端末装置へマッピング組み合わせを送信し、該マッピング組み合わせが該少なくとも一つのＳＲＳリソースとダウンリンク基準信号とのマッピング関係及び／又は該少なくとも一つのＳＲＳリソースグループとダウンリンク基準信号とのマッピング関係を含むことを含む。
【００６０】
ネットワーク装置はあるＳＲＳリソース又はあるＳＲＳリソースグループの配置情報にそれに関連付けられたダウンリンク基準信号を含ませなくてもよく、即ち、ネットワーク装置はＳＲＳリソース及びＳＲＳリソースとダウンリンク基準信号とのマッピング関係を同時に配置しなく、ネットワーク装置は端末装置にＳＲＳリソースとダウンリンク基準信号とのマッピング関係を個別のシグナリングによって配置することができる。例えば、ネットワーク装置は個別のシグナリングを介して端末装置へ一つのマッピング組み合わせを送信することができ、該マッピング組み合わせが複数のＳＲＳリソースとダウンリンク基準信号とのマッピング関係及び／又は複数のＳＲＳリソースグループとダウンリンク基準信号とのマッピング関係を含むことができる。言い換えば、該マッピング組み合わせでは、ＳＲＳリソースをグループに従って一つのダウンリンク基準信号にマッピングすることができ、ＳＲＳリソースを一つのダウンリンク基準信号に個別にマッピングすることもできる。
【００６１】
選択可能に、本出願の実施例では、該マッピング組み合わせはさらに少なくとも一つの状態識別子を含み、該少なくとも一つの状態識別子内の各状態識別子が該少なくとも一つのＳＲＳリソース内の各ＳＲＳリソースとダウンリンク基準信号とのマッピング関係を１対１で識別することに用いられ、又は、該マッピング組み合わせはさらに少なくとも一つの状態識別子を含み、該少なくとも一つの状態識別子内の各状態識別子が該少なくとも一つのＳＲＳリソースグループ内の各ＳＲＳリソースグループとダウンリンク基準信号とのマッピング関係を１対１で識別することに用いられる。
【００６２】
該マッピング組み合わせは一つのマッピングテーブルであってもよく、テーブル１に示される。
【表１】
2021508417.tif 000011
【００６３】
具体的には、テーブル１に示すように、ネットワーク装置は各マッピング関係に一つの状態識別子を配置することができ、端末がある状態識別子を取得した場合、端末装置は該状態識別子に対応するマッピング関係を取得することができる。例えば、ネットワーク装置が状態識別子１を端末装置に示す場合、端末装置は、テーブル１からＳＲＳリソース識別子１又はＳＲＳリソースグループ識別子１とダウンリンク基準信号識別子１とのマッピング関係を取得することができ、さらに端末装置はネットワーク装置によって示された伝送待ちＳＲＳリソースに基づき、それに関連付けられたダウンリンク基準信号を知ることができる。理解すべきものとして、テーブル１における状態識別３のように、状態識別子によって識別されるマッピング関係はＳＲＳリソースとダウンリンク基準信号が有するマッピング関係であってもよく、あるＳＲＳリソース又はあるＳＲＳリソースグループとそれに関連付けられないダウンリンク基準信号がマッピング関係であると考えてもよく、本実施例はこれに限定されない。
【００６４】
ネットワーク装置は上位層シグナリング、例えばＲＲＣシグナリング又はＭＡＣシグナリングによって端末装置へ該マッピング組み合わせを送信することができ、ネットワーク装置はシステムメッセージ、ブロードキャストメッセージなどによって端末装置へ該マッピング組み合わせを送信することもでき、本出願の実施例はこれに限定されない。
【００６５】
選択可能に、本出願の実施例では、該方法は、さらに該ネットワーク装置が該端末装置へ第一の指示情報を送信し、該第一の指示情報が該ネットワーク装置へ該マッピング関係を有する第一のＳＲＳを送信するように該端末装置をトリガすることに用いられることを含む。
【００６６】
以上から分かるように、ネットワーク装置は、あるＳＲＳリソースでＳＲＳを送信し、又はあるＳＲＳリソースグループでＳＲＳを送信するように端末装置をトリガすることができ、端末装置はどのＳＲＳリソース又はどのＳＲＳリソースグループを知った後に、上記の様々なマッピング関係からそれに対応するダウンリンク基準信号を取得することができ、さらに伝送待ちＳＲＳのプリコーディング情報を計算し、計算されたプリコーディング情報を用いてネットワーク装置へ該ＳＲＳを送信することができる。ネットワーク装置はＲＲＣ及び／又はＭＡＣシグナリング及び／又はダウンリンク制御情報（ＤＣＩ：Ｄｏｗｎｌｉｎｋ  Ｃｏｎｔｒｏｌ  Ｉｎｆｏｒｍａｔｉｏｎ）シグナリングによってあるＳＲＳリソース又はＳＲＳリソースグループをトリガして送信することができる。該指示情報は伝送待ちＳＲＳリソースを直接示すことができ、該伝送待ちＳＲＳリソースと関連するいくつかの情報、例えば伝送待ちＳＲＳリソースと関連するダウンリンク基準信号を間接的に送信することもできる。
【００６７】
選択可能に、本出願の実施例では、該方法は、さらに該ネットワーク装置が該端末装置へ第二の指示情報を送信し、該第二の指示情報が、該ネットワーク装置へ該第一の状態識別子によって識別されるマッピング関係を有するＳＲＳを送信するように該端末装置をトリガするように、該少なくとも一つの状態識別子内の第一の状態識別子を示すことに用いられることを含む。
【００６８】
具体的には、ネットワーク装置がテーブル１に示されるマッピング組み合わせを端末装置に配置する場合、ネットワーク装置は端末装置へある状態識別子を直接示することができ、そのため端末装置は該状態識別子によって識別されるマッピング関係におけるＳＲＳリソースとダウンリンク基準信号を取得することができ、さらに端末装置は伝送待ちＳＲＳリソースを知ることができる。
【００６９】
選択可能に、本出願の実施例では、該ネットワーク装置が端末装置へ少なくとも一つのサウンディング基準信号（ＳＲＳ）リソース及び／又は少なくとも一つのＳＲＳリソースグループとダウンリンク基準信号とのマッピング関係を送信することは、該ネットワーク装置が該端末装置へ該少なくとも一つのＳＲＳリソースとダウンリンク基準信号の送信リソースとの第一のタイムシーケンス関係を送信し、該第一のタイムシーケンス関係が該少なくとも一つのＳＲＳリソースとダウンリンク基準信号とのマッピング関係を示すことに用いられること、及び／又は該ネットワーク装置が該端末装置へ該少なくとも一つのＳＲＳリソースグループとダウンリンク基準信号の送信リソースとの第二のタイムシーケンス関係を送信し、該第二のタイムシーケンス関係が該少なくとも一つのＳＲＳリソースグループとダウンリンク基準信号とのマッピング関係を示すことに用いられることを含む。
【００７０】
選択可能に、本出願の実施例では、該ネットワーク装置が端末装置へ少なくとも一つのサウンディング基準信号（ＳＲＳ）リソース及び／又は少なくとも一つのＳＲＳリソースグループとダウンリンク基準信号とのマッピング関係を送信することは、該ネットワーク装置が該少なくとも一つのＳＲＳリソースでＳＲＳを送信するためのトリガ信号とダウンリンク基準信号との第三のタイムシーケンス関係を該端末装置に送信し、該第三のタイムシーケンス関係が該少なくとも一つのＳＲＳリソースとダウンリンク基準信号とのマッピング関係を示すことに用いられること、及び／又は該ネットワーク装置が該少なくとも一つのＳＲＳリソースグループでＳＲＳを送信するためのトリガ信号とダウンリンク基準信号との第四のタイムシーケンス関係を該端末装置に送信し、該第四のタイムシーケンス関係が該少なくとも一つのＳＲＳリソースグループとダウンリンク基準信号とのマッピング関係を示すことに用いられることを含む。
【００７１】
具体的には、本出願の実施例では、ネットワーク装置はＳＲＳリソースとダウンリンク基準信号とのマッピング関係を直接配置しなくてもよく、ネットワーク装置は端末装置にＳＲＳリソースとダウンリンク基準信号とのタイムシーケンス関係を配置することでＳＲＳリソースとダウンリンク基準信号とのマッピング関係を表すことができる。例えば、ネットワーク装置は各ＳＲＳリソースの時間領域上の前のダウンリンク基準信号がそれに関連付けられると端末装置と定めることができる。そのため、端末装置は、ＳＲＳリソースとダウンリンク基準信号とのタイムシーケンス関係を取得した後、ネットワーク装置と定められたルールに従ってあるＳＲＳリソースに関連付けられたダウンリンク基準信号を確定することができる。同様に、ＳＲＳリソースグループとダウンリンク基準信号とのタイムシーケンス関係がＳＲＳリソースグループとダウンリンク基準信号とのマッピング関係を表すこともでき、ここで説明を省略する。
【００７２】
ネットワーク装置は端末装置にＳＲＳのトリガ信号とダウンリンク基準信号とのタイムシーケンス関係を配置することでＳＲＳリソースとダウンリンク基準信号とのマッピング関係を表すこともできる。例えば、ネットワーク装置は各ＳＲＳリソースのトリガ信号の時間領域上の前のダウンリンク基準信号がそれに関連付けられると考えられてもよいと端末装置と定めることができる。そのため、端末装置は、ＳＲＳのトリガ信号とダウンリンク基準信号とのタイムシーケンス関係を取得した後、ネットワーク装置と定められたルールに従ってあるＳＲＳリソースに関連付けられたダウンリンク基準信号を確定することができる。同様に、ＳＲＳリソースグループのトリガ信号とダウンリンク基準信号とのタイムシーケンス関係がＳＲＳリソースグループとダウンリンク基準信号とのマッピング関係を表すこともでき、ここで説明を省略する。
【００７３】
図３は本出願の実施例による信号伝送方法２００を示す概略ブロック図である。図３に示すように、該方法２００は以下の一部又は全部の内容を含む。
【００７４】
Ｓ２１０において、端末装置はネットワーク装置から送信された少なくとも一つのサウンディング基準信号（ＳＲＳ）リソース及び／又は少なくとも一つのＳＲＳリソースグループとダウンリンク基準信号とのマッピング関係を受信する。
【００７５】
したがって、本出願の実施例による信号伝送方法では、ＳＲＳ信号とダウンリンク基準信号とのマッピング関係を端末装置に通知することにより、端末装置は後にどのダウンリンク基準信号を用いて伝送待ちＳＲＳのプリコーディング情報を計算するかを知ることができ、それによってシステムの伝送性能を向上することに有利である。
【００７６】
選択可能に、本出願の実施例では、前記端末装置がネットワーク装置から送信された少なくとも一つのサウンディング基準信号（ＳＲＳ）リソースとダウンリンク基準信号とのマッピング関係を受信することは、前記端末装置が前記ネットワーク装置から送信された前記少なくとも一つのＳＲＳリソース内の各ＳＲＳリソースの配置情報を受信し、前記各ＳＲＳリソースの配置情報が、前記各ＳＲＳリソースに対応するダウンリンク基準信号を示すための指示フィールドをそれぞれ含むことを含む。
【００７７】
選択可能に、本出願の実施例では、前記端末装置がネットワーク装置から送信された少なくとも一つのＳＲＳリソースグループとダウンリンク基準信号とのマッピング関係を受信することは、前記端末装置が前記ネットワーク装置から送信された少なくとも一つのＳＲＳリソースグループ内の各ＳＲＳリソースの配置情報を受信し、前記各ＳＲＳリソースグループの配置情報が、前記各ＳＲＳリソースグループのＳＲＳリソースに対応するダウンリンク基準信号を示すための少なくとも一つの指示フィールドをそれぞれ含むことを含む。
【００７８】
選択可能に、本出願の実施例では、前記指示フィールドは具体的にダウンリンク基準信号の識別子又はダウンリンク基準信号の配置情報を示すことに用いられる。
【００７９】
選択可能に、本出願の実施例では、前記端末装置がネットワーク装置から送信された少なくとも一つのサウンディング基準信号（ＳＲＳ）リソース及び／又は少なくとも一つのＳＲＳリソースグループとダウンリンク基準信号とのマッピング関係を受信することは、前記端末装置が、前記ネットワーク装置が無線リソース制御（ＲＲＣ）シグナリング又はメディアアクセス制御（ＭＡＣ）シグナリングによって送信したマッピング組み合わせを受信し、前記マッピング組み合わせが、前記少なくとも一つのＳＲＳリソースとダウンリンク基準信号とのマッピング関係及び／又は前記少なくとも一つのＳＲＳリソースグループとダウンリンク基準信号とのマッピング関係を含むことを含む。
【００８０】
選択可能に、本出願の実施例では、前記マッピング組み合わせはさらに少なくとも一つの状態識別子を含み、前記少なくとも一つの状態識別子内の各状態識別子が、前記少なくとも一つのＳＲＳリソース内の各ＳＲＳリソースとダウンリンク基準信号とのマッピング関係を１対１で識別することに用いられ、又は、前記マッピング組み合わせはさらに少なくとも一つの状態識別子を含み、前記少なくとも一つの状態識別子内の各状態識別子が、前記少なくとも一つのＳＲＳリソースグループ内の各ＳＲＳリソースグループとダウンリンク基準信号とのマッピング関係を１対１で識別することに用いられる。
【００８１】
選択可能に、本出願の実施例では、前記方法は、さらに前記端末装置が前記ネットワーク装置から送信された第一の指示情報を受信し、前記第一の指示情報が前記ネットワーク装置へ前記マッピング関係を有する第一のＳＲＳを送信するように前記端末装置をトリガすることに用いられることと、前記端末装置が前記第一の指示情報と前記マッピング関係に応じて、前記第一のＳＲＳに対応するダウンリンク基準信号を確定することと、前記端末装置が前記第一のＳＲＳに対応するダウンリンク基準信号に基づき、前記第一のＳＲＳのプリコーディング情報を計算することと、前記端末装置が前記プリコーディング情報に基づき、前記ネットワーク装置へ前記第一のＳＲＳを伝送することとを含む。
【００８２】
選択可能に、本出願の実施例では、前記第一の指示情報は前記第一のＳＲＳ及び／又は前記第一のＳＲＳに対応するダウンリンク基準信号を示すことに用いられる。
【００８３】
選択可能に、本出願の実施例では、前記方法は、さらに前記端末装置が前記ネットワーク装置から送信された第二の指示情報を受信し、前記第二の指示情報が前記少なくとも一つの状態識別子のうちの第一の状態識別子を示すことに用いられることと、前記端末装置が前記第一の状態識別子と前記マッピングテーブルに基づき、前記第一の状態識別子に対応する第一のＳＲＳ及び前記第一のＳＲＳに対応するダウンリンク基準信号を確定することと、前記端末装置が前記第一のＳＲＳに対応するダウンリンク信号に基づき、前記第一のＳＲＳのプリコーディング情報を計算することと、前記端末装置が前記プリコーディング情報に基づき、前記ネットワーク装置へ前記第一のＳＲＳを伝送することとを含む。
【００８４】
選択可能に、本出願の実施例では、前記端末装置がネットワーク装置から送信された少なくとも一つのサウンディング基準信号（ＳＲＳ）リソース及び／又は少なくとも一つのＳＲＳリソースグループとダウンリンク基準信号とのマッピング関係を受信することは、前記端末装置が前記ネットワーク装置から送信された前記少なくとも一つのＳＲＳリソースとダウンリンク基準信号の送信リソースとの第一のタイムシーケンス関係を受信し、前記第一のタイムシーケンス関係が、前記少なくとも一つのＳＲＳリソースとダウンリンク基準信号とのマッピング関係を示すことに用いられること、及び／又は前記端末装置が前記ネットワーク装置から送信された前記少なくとも一つのＳＲＳリソースグループとダウンリンク基準信号の送信リソースとの第二のタイムシーケンス関係を受信し、前記第二のタイムシーケンス関係が、前記少なくとも一つのＳＲＳリソースグループとダウンリンク基準信号とのマッピング関係を示すことに用いられることを含む。
【００８５】
選択可能に、本出願の実施例では、前記端末装置がネットワーク装置から送信された少なくとも一つのサウンディング基準信号（ＳＲＳ）リソース及び／又は少なくとも一つのＳＲＳリソースグループとダウンリンク基準信号とのマッピング関係を受信することは、前記端末装置が前記ネットワーク装置から送信された、前記少なくとも一つのＳＲＳリソースでＳＲＳを送信するためのトリガ信号とダウンリンク基準信号との第三のタイムシーケンス関係を受信し、前記第三のタイムシーケンス関係が、前記少なくとも一つのＳＲＳリソースとダウンリンク基準信号とのマッピング関係を示すことに用いられること、及び／又は前記端末装置が前記ネットワーク装置から送信された、前記少なくとも一つのＳＲＳリソースグループでＳＲＳを送信するためのトリガ信号とダウンリンク基準信号との第四のタイムシーケンス関係を受信し、前記第四のタイムシーケンス関係が、前記少なくとも一つのＳＲＳリソースグループとダウンリンク基準信号とのマッピング関係を示すことに用いられることを含む。
【００８６】
選択可能に、本出願の実施例では、前記ダウンリンク基準信号は、チャンセル状態情報基準信号（ＣＳＩ−ＲＳ）及び／又は同期信号ブロック（ＳＳＢ）を含む。
【００８７】
選択可能に、本出願の実施例では、前記ＳＲＳは非周期的ＳＲＳ、周期的ＳＲＳと半静的ＳＲＳのうちの少なくとも一つを含む。
【００８８】
理解すべきものとして、端末装置から説明される端末装置とネットワーク装置とのインタラクション及び関連特性、機能などがネットワーク装置の関連特性、機能に対応する。そして、関連内容について上記方法１００で詳細に説明され、簡潔にするために、説明を省略する。
【００８９】
また、本出願の様々な実施例では、上記各プロセスの番号の大きさが実行順序を意味せず、各プロセスの実行順序はその機能と内部論理で確定されるべきであり、本出願の実施例の実施プロセスのいかなる限定を構成すべきではないと理解すべきである。
【００９０】
以上に本出願の実施例による信号伝送方法を詳細に説明し、以下に図４〜図７と組み合わせて本出願の実施例による信号伝送方装置を説明し、方法の実施例で説明される技術的特徴が以下の装置の実施例に適用する。
【００９１】
図４は本出願の実施例によるネットワーク装置３００を示す概略ブロック図である。図４に示すように、該ネットワーク装置３００は、送信ユニット３１０を備える。
【００９２】
送信ユニット３１０は、端末装置へ少なくとも一つのサウンディング基準信号（ＳＲＳ）リソース及び／又は少なくとも一つのＳＲＳリソースグループとダウンリンク基準信号とのマッピング関係を送信するように構成される。
【００９３】
したがって、本出願の実施例によるネットワーク装置では、ＳＲＳ信号とダウンリンク基準信号とのマッピング関係を端末装置に通知することにより、端末装置は後にどのダウンリンク基準信号を用いて伝送待ちＳＲＳのプリコーディング情報を計算するかを知ることができ、それによってシステムの伝送性能を向上することに有利である。
【００９４】
選択可能に、本出願の実施例では、該送信ユニットは具体的に該端末装置へ該少なくとも一つのＳＲＳリソース内の各ＳＲＳリソースの配置情報を送信するように構成され、該各ＳＲＳリソースの配置情報が、該各ＳＲＳリソースに対応するダウンリンク基準信号を示すための指示フィールドをそれぞれ含む。
【００９５】
選択可能に、本出願の実施例では、該送信ユニットは具体的に該端末装置へ少なくとも一つのＳＲＳリソースグループ内の各ＳＲＳリソースグループの配置情報を送信するように構成され、該各ＳＲＳリソースグループの配置情報が、該各ＳＲＳリソースグループのＳＲＳリソースに対応するダウンリンク基準信号を示すための少なくとも一つの指示フィールドをそれぞれ含む。
【００９６】
選択可能に、本出願の実施例では、該指示フィールドは具体的にダウンリンク基準信号の識別子又はダウンリンク基準信号の配置情報を示すことに用いられる。
【００９７】
選択可能に、本出願の実施例では、該送信ユニットは具体的に無線リソース制御（ＲＲＣ）シグナリング又はメディアアクセス制御（ＭＡＣ：Ｍｅｄｉａ  Ａｃｃｅｓｓ  Ｃｏｎｔｒｏｌ）シグナリングによって該端末装置へマッピング組み合わせを送信するように構成され、該マッピング組み合わせが該少なくとも一つのＳＲＳリソースとダウンリンク基準信号とのマッピング関係及び／又は該少なくとも一つのＳＲＳリソースグループとダウンリンク基準信号とのマッピング関係を含む。
【００９８】
選択可能に、本出願の実施例では、該マッピング組み合わせはさらに少なくとも一つの状態識別子を含み、該少なくとも一つの状態識別子内の各状態識別子が該少なくとも一つのＳＲＳリソース内の各ＳＲＳリソースとダウンリンク基準信号とのマッピング関係を１対１で識別することに用いられ、又は、該マッピング組み合わせはさらに少なくとも一つの状態識別子を含み、該少なくとも一つの状態識別子内の各状態識別子が該少なくとも一つのＳＲＳリソースグループ内の各ＳＲＳリソースグループとダウンリンク基準信号とのマッピング関係を１対１で識別することに用いられる。
【００９９】
選択可能に、本出願の実施例では、該送信ユニットはさらに該端末装置へ第一の指示情報を送信するように構成され、該第一の指示情報が該ネットワーク装置へ該マッピング関係を有する第一のＳＲＳを送信するように該端末装置をトリガすることに用いられる。
【０１００】
選択可能に、本出願の実施例では、該第一の指示情報は該第一のＳＲＳ及び／又は該第一のＳＲＳに対応するダウンリンク基準信号を示すことに用いられる。
【０１０１】
選択可能に、本出願の実施例では、該送信ユニットはさらに該端末装置へ第二の指示情報を送信するように構成され、該第二の指示情報が、該ネットワーク装置へ該第一の状態識別子によって識別されるマッピング関係を有するＳＲＳを送信するように該端末装置をトリガするように、該少なくとも一つの状態識別子内の第一の状態識別子を示すことに用いられる。
【０１０２】
選択可能に、本出願の実施例では、該送信ユニットは具体的に該端末装置へ該少なくとも一つのＳＲＳリソースとダウンリンク基準信号の送信リソースとの第一のタイムシーケンス関係を送信するように構成され、該第一のタイムシーケンス関係が該少なくとも一つのＳＲＳリソースとダウンリンク基準信号とのマッピング関係を示すことに用いられ、及び／又は該端末装置へ該少なくとも一つのＳＲＳリソースグループとダウンリンク基準信号の送信リソースとの第二のタイムシーケンス関係を送信するように構成され、該第二のタイムシーケンス関係が該少なくとも一つのＳＲＳリソースグループとダウンリンク基準信号とのマッピング関係を示すことに用いられる。
【０１０３】
選択可能に、本出願の実施例では、該送信ユニットは具体的に該少なくとも一つのＳＲＳリソースでＳＲＳを送信するためのトリガ信号とダウンリンク基準信号との第三のタイムシーケンス関係を該端末装置に送信するように構成され、該第三のタイムシーケンス関係が該少なくとも一つのＳＲＳリソースとダウンリンク基準信号とのマッピング関係を示すことに用いられ、及び／又は少なくとも一つのＳＲＳリソースグループでＳＲＳを送信するためのトリガ信号とダウンリンク基準信号との第四のタイムシーケンス関係を該端末装置に送信するように構成され、該第四のタイムシーケンス関係が該少なくとも一つのＳＲＳリソースグループとダウンリンク基準信号とのマッピング関係を示すことに用いられる。
【０１０４】
選択可能に、本出願の実施例では、該ダウンリンク基準信号は、チャンセル状態情報基準信号（ＣＳＩ−ＲＳ）及び／又は同期信号ブロック（ＳＳＢ）を含む。
【０１０５】
選択可能に、本出願の実施例では、該ＳＲＳは非周期的ＳＲＳ、周期的ＳＲＳと半静的ＳＲＳのうちの少なくとも一つを含む。
【０１０６】
理解すべきものとして、本出願の実施例によるネットワーク装置３００は本出願の方法の実施例におけるネットワーク装置に対応してもよく、且つネットワーク装置３００の各ユニットの上記と他の操作及び／又は機能はそれぞれ図２の方法におけるネットワーク装置の対応するプロセスを実現するためのものであり、簡潔するために、ここでは説明を省略する。
【０１０７】
図５は本出願の実施例による端末装置４００を示す概略ブロック図である。図５に示すように、該端末装置４００は、受信ユニットを備える。
【０１０８】
受信ユニットは、ネットワーク装置から送信された少なくとも一つのサウンディング基準信号（ＳＲＳ）リソース及び／又は少なくとも一つのＳＲＳリソースグループとダウンリンク基準信号とのマッピング関係を受信するように構成される。
【０１０９】
したがって、本出願の実施例による端末装置では、ネットワーク装置によって通知されたＳＲＳ信号とダウンリンク基準信号とのマッピング関係を受信することにより、端末装置は後にどのダウンリンク基準信号を用いて伝送待ちＳＲＳのプリコーディング情報を計算するかを知ることができ、それによってシステムの伝送性能を向上することに有利である。
【０１１０】
選択可能に、本出願の実施例では、該受信ユニットは具体的に該ネットワーク装置から送信された該少なくとも一つのＳＲＳリソース内の各ＳＲＳリソースの配置情報を受信するように構成され、該各ＳＲＳリソースの配置情報が、該各ＳＲＳリソースに対応するダウンリンク基準信号を示すための指示フィールドをそれぞれ含む。
【０１１１】
選択可能に、本出願の実施例では、該受信ユニットは具体的に該ネットワーク装置から送信された少なくとも一つのＳＲＳリソースグループ内の各ＳＲＳリソースグループの配置情報を受信するように構成され、該各ＳＲＳリソースグループの配置情報が、該各ＳＲＳリソースグループのＳＲＳリソースに対応するダウンリンク基準信号を示すための少なくとも一つの指示フィールドをそれぞれ含む。
【０１１２】
選択可能に、本出願の実施例では、該指示フィールドは具体的にダウンリンク基準信号の識別子又はダウンリンク基準信号の配置情報を示すことに用いられる。
【０１１３】
選択可能に、本出願の実施例では、該受信ユニットは具体的に該ネットワーク装置が無線リソース制御（ＲＲＣ）シグナリング又はメディアアクセス制御（ＭＡＣ：Ｍｅｄｉａ  Ａｃｃｅｓｓ  Ｃｏｎｔｒｏｌ）シグナリングによって送信したマッピング組み合わせを受信するように構成され、該マッピング組み合わせが該少なくとも一つのＳＲＳリソースとダウンリンク基準信号とのマッピング関係及び／又は該少なくとも一つのＳＲＳリソースグループとダウンリンク基準信号とのマッピング関係を含む。
【０１１４】
選択可能に、本出願の実施例では、該マッピング組み合わせはさらに少なくとも一つの状態識別子を含み、該少なくとも一つの状態識別子内の各状態識別子が該少なくとも一つのＳＲＳリソース内の各ＳＲＳリソースとダウンリンク基準信号とのマッピング関係を１対１で識別することに用いられ、又は、該マッピング組み合わせはさらに少なくとも一つの状態識別子を含み、該少なくとも一つの状態識別子内の各状態識別子が該少なくとも一つのＳＲＳリソースグループ内の各ＳＲＳリソースグループとダウンリンク基準信号とのマッピング関係を１対１で識別することに用いられる。
【０１１５】
選択可能に、本出願の実施例では、該受信ユニットは、さらに該ネットワーク装置から送信された第一の指示情報を受信するように構成され、該第一の指示情報が該ネットワーク装置へ該マッピング関係を有する第一のＳＲＳを送信するように該端末装置をトリガすることに用いられ、該端末装置はさらに該第一の指示情報と該マッピング関係に応じて、該第一のＳＲＳに対応するダウンリンク基準信号を確定するように構成される第一の確定ユニットと、該第一のＳＲＳに対応するダウンリンク基準信号に基づき、該第一のＳＲＳのプリコーディング情報を計算するように構成される第一の計算ユニットと、該プリコーディング情報に基づき、該ネットワーク装置へ該第一のＳＲＳを伝送するように構成される送信ユニットとを備える。
【０１１６】
選択可能に、本出願の実施例では、該第一の指示情報は該第一のＳＲＳ及び／又は該第一のＳＲＳに対応するダウンリンク基準信号を示すことに用いられる。
【０１１７】
選択可能に、本出願の実施例では、該受信ユニットは、さらに該ネットワーク装置から送信された第二の指示情報を受信するように構成され、該第二の指示情報が該少なくとも一つの状態識別子のうちの第一の状態識別子を示すことに用いられ、該端末装置はさらに該第一の状態識別子と該マッピングテーブルに基づき、該第一の状態識別子に対応する第一のＳＲＳ及び該第一のＳＲＳに対応するダウンリンク基準信号を確定するように構成される第二の確定ユニットと、該第一のＳＲＳに対応するダウンリンク基準信号に基づき、該第一のＳＲＳのプリコーディング情報を計算するように構成される第二の計算ユニットと、該プリコーディング情報に基づき、該ネットワーク装置へ該第一のＳＲＳを伝送するように構成される第二の送信ユニットとを備える。
【０１１８】
選択可能に、本出願の実施例では、該受信ユニットは具体的に該ネットワーク装置から送信された該少なくとも一つのＳＲＳリソースとダウンリンク基準信号の送信リソースとの第一のタイムシーケンス関係を送信するように構成され、該第一のタイムシーケンス関係が該少なくとも一つのＳＲＳリソースとダウンリンク基準信号とのマッピング関係を示すことに用いられ、及び／又は該ネットワーク装置から送信された該少なくとも一つのＳＲＳリソースグループとダウンリンク基準信号の送信リソースとの第二のタイムシーケンス関係を送信するように構成され、該第二のタイムシーケンス関係が該少なくとも一つのＳＲＳリソースグループとダウンリンク基準信号とのマッピング関係を示すことに用いられる。
【０１１９】
選択可能に、本出願の実施例では、該受信ユニットは具体的に該ネットワーク装置から送信された、該少なくとも一つのＳＲＳリソースでＳＲＳを送信するためのトリガ信号とダウンリンク基準信号との第三のタイムシーケンス関係を受信するように構成され、該第三のタイムシーケンス関係が該少なくとも一つのＳＲＳリソースとダウンリンク基準信号とのマッピング関係を示すことに用いられ、及び／又は該ネットワーク装置から送信された該少なくとも一つのＳＲＳリソースグループでＳＲＳを送信するためのトリガ信号とダウンリンク基準信号との第四のタイムシーケンス関係を受信するように構成され、該第四のタイムシーケンス関係が該少なくとも一つのＳＲＳリソースグループとダウンリンク基準信号とのマッピング関係を示すことに用いられる。
【０１２０】
選択可能に、本出願の実施例では、該ダウンリンク基準信号は、チャンセル状態情報基準信号（ＣＳＩ−ＲＳ）及び／又は同期信号ブロック（ＳＳＢ）を含む。
【０１２１】
選択可能に、本出願の実施例では、該ＳＲＳは非周期的ＳＲＳ、周期的ＳＲＳと半静的ＳＲＳのうちの少なくとも一つを含む。
【０１２２】
理解すべきものとして、本出願の実施例による端末装置４００は本出願の方法の実施例における端末装置に対応してもよく、且つ端末装置４００の各ユニットの上記と他の操作及び／又は機能はそれぞれ図３の方法における端末装置の対応するプロセスを実現するためのものであり、簡潔するために、ここでは説明を省略する。
【０１２３】
図６に示すように、本出願の実施例はさらに図２の方法１００に対応するネットワーク装置のコンテンツを実行することに用いられてもよい図４のネットワーク装置３００とすることができるネットワーク装置５００を提供する。該ネットワーク装置５００は、入力インタフェース５１０、出力インタフェース５２０、プロセッサ５３０及びメモリ５４０を備え、該入力インタフェース５１０、出力インタフェース５２０、プロセッサ５３０とメモリ５４０がバスシステムを介して接続されてもよい。該メモリ５４０はプログラム、命令又はコードを記憶するように構成される。該プロセッサ５３０は信号を受信するように入力インタフェース５１０を制御し、信号を送信するように出力インタフェース５２０を制御し、前記方法の実施例における操作を完了するために、該メモリ５４０におけるプログラム、命令又はコードを実行するように構成される。
【０１２４】
したがって、本出願の実施例によるネットワーク装置では、ＳＲＳ信号とダウンリンク基準信号とのマッピング関係を端末装置に通知することにより、端末装置は後にどのダウンリンク基準信号を用いて伝送待ちＳＲＳのプリコーディング情報を計算するかを知ることができ、それによってシステムの伝送性能を向上することに有利である。
【０１２５】
理解すべきものとして、本出願の実施例では、該プロセッサ５３０は中央処理ユニット（ＣＰＵ：Ｃｅｎｔｒａｌ  Ｐｒｏｃｅｓｓｉｎｇ  Ｕｎｉｔ）であってもよく、該プロセッサ５３０はさらに他の汎用プロセッサ、デジタル信号プロセッサ、専用集積回路、フィールドプログラマブルゲートアレイ又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１２６】
該メモリ５４０は読み取り専用メモリとランダムアクセスメモリを含み、そしてプロセッサ５３０へ命令とデータを提供することができる。メモリ５４０の一部は不揮発性ランダムアクセスメモリを含むことができる。例えば、メモリ５４０は装置タイプの情報を記憶することもできる。
【０１２７】
実施プロセスでは、上記方法の各内容は、プロセッサ５３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ５４０に位置し、プロセッサ５３０はメモリ５４０における情報を読み取り、そのハードウェアと組み合わせて上記方法の内容を完了する。繰り返しを回避するために、ここで詳細な説明を省略する。
【０１２８】
一つの具体的な実施形態では、ネットワーク装置３００における送信ユニットは図６における出力インタフェース５２０によって実現されてもよい。
【０１２９】
図７に示すように、本出願の実施例はさらに図３の方法２００に対応する端末装置のコンテンツを実行することに用いられてもよい図５の端末装置４００とすることができる端末装置６００を提供する。該端末装置６００は、入力インタフェース６１０、出力インタフェース６２０、プロセッサ６３０及びメモリ６４０を備え、該入力インタフェース６１０、出力インタフェース６２０、プロセッサ６３０とメモリ６４０がバスシステムを介して接続されてもよい。該メモリ６４０はプログラム、命令又はコードを記憶するように構成される。該プロセッサ６３０は信号を受信するように入力インタフェース６１０を制御し、信号を送信するように出力インタフェース６２０を制御し、前記方法の実施例における操作を完了するために、該メモリ６４０におけるプログラム、命令又はコードを実行するように構成される。
【０１３０】
したがって、本出願の実施例による端末装置では、ネットワーク装置によって通知されたＳＲＳ信号とダウンリンク基準信号とのマッピング関係を受信することにより、端末装置は後にどのダウンリンク基準信号を用いて伝送待ちＳＲＳのプリコーディング情報を計算するかを知ることができ、それによってシステムの伝送性能を向上することに有利である。
【０１３１】
理解すべきものとして、本発明の実施例では、該プロセッサ６３０は中央処理ユニット（ＣＰＵ：Ｃｅｎｔｒａｌ  Ｐｒｏｃｅｓｓｉｎｇ  Ｕｎｉｔ）であってもよく、該プロセッサ６３０はさらに他の汎用プロセッサ、デジタル信号プロセッサ、専用集積回路、フィールドプログラマブルゲートアレイ又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１３２】
該メモリ６４０は読み取り専用メモリとランダムアクセスメモリを含み、そしてプロセッサ６３０へ命令とデータを提供することができる。メモリ６４０の一部はさらに不揮発性ランダムアクセスメモリを含むことができる。例えば、メモリ６４０はさらに装置タイプの情報を記憶することができる。
【０１３３】
実施プロセスでは、上記方法の各内容は、プロセッサ６３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ６４０に位置し、プロセッサ６３０はメモリ６４０における情報を読み取り、そのハードウェアと組み合わせて上記方法の内容を完了する。繰り返しを回避するために、ここで詳細な説明を省略する。
【０１３４】
一つの具体的な実施形態では、端末装置４００における受信ユニットは、図７における入力インタフェース６１０によって実現されてもよく、端末装置４００における各確定ユニットと各計算ユニットは図７におけるプロセッサ６３０によって実現されてもよく、端末装置４００における各送信ユニットは図７における出力インタフェース６２０によって実現されてもよい。
【０１３５】
当業者であれば、本明細書で開示される実施例と組み合わせて説明された各例のユニット及びアルゴリズムステップは、電子ハードウェア、又はコンピュータソフトウェアと電子ハードウェアの組み合わせで実現されてもいよいと理解できる。これらの機能がハードウエア又はソフトウエアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【０１３６】
当業者は、便利及び簡潔に説明するために、上記のシステム、装置及びユニットの具体的な動作プロセスについて、前記方法の実施例における対応するプロセスを参照でき、ここで説明を省略することを明確に理解することができる。
【０１３７】
本出願が提供するいくつかの実施例では、開示されるシステム、装置及び方法は、他の方式により実現されてもよいと理解すべきである。例えば、上記の装置の実施例は例示的なものだけであり、例えば、該ユニットの区分は、論理機能的区分だけであり、実際に実施する時に他の区分方式もあり得て、例えば複数のユニット又は構成要素は組み合わせられてもよく又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１３８】
分離部材として説明される該ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワークユニットに分布してもよい。実際のニーズに応じてそのうちの一部又は全てのユニットを選択して本実施例の解決策の目的を達成することができる。
【０１３９】
また、本出願の各実施例における各機能ユニットは一つの処理ユニットに統合されてもよく、個々のユニットは単独で物理的に存在してもよく、二つ又は二つ以上のユニットは一つのユニットに統合されてもよい。
【０１４０】
該機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１４１】
以上は、本出願の実施例の具体的な実施形態だけであるが、本出願の保護範囲はこれに制限されず、当業者が本出願で開示された技術範囲内で容易に想到し得る変化又は入れ替わりが全て本出願の保護範囲内に含まれるべきである。従って、本出願の保護範囲は請求項の保護範囲に準拠するべきである。
【手続補正２】
【補正対象書類名】特許請求の範囲
【補正対象項目名】全文
【補正方法】変更
【補正の内容】
【特許請求の範囲】
【請求項１】
信号伝送方法であって、
ネットワーク装置が、端末装置へ少なくとも一つのサウンディング基準信号（ＳＲＳ）リソース及び／又は少なくとも一つのＳＲＳリソースグループとダウンリンク基準信号とのマッピング関係を送信することを含む、前記信号伝送方法。
【請求項２】
前記ネットワーク装置が前記端末装置へ少なくとも一つのＳＲＳリソースグループとダウンリンク基準信号とのマッピング関係を送信することは、
前記ネットワーク装置が、前記端末装置へ少なくとも一つのＳＲＳリソースグループ内の各ＳＲＳリソースグループの配置情報を送信し、前記各ＳＲＳリソースグループの配置情報が、前記各ＳＲＳリソースグループのＳＲＳリソースに対応するダウンリンク基準信号を示すための少なくとも一つの指示フィールドをそれぞれ含むことを含むことを特徴とする
請求項１に記載の方法。
【請求項３】
前記指示フィールドは具体的にダウンリンク基準信号の識別子又はダウンリンク基準信号の配置情報を示すことに用いられることを特徴とする
請求項２に記載の方法。
【請求項４】
前記ネットワーク装置が端末装置へ少なくとも一つのサウンディング基準信号（ＳＲＳ）リソース及び／又は少なくとも一つのＳＲＳリソースグループとダウンリンク基準信号とのマッピング関係を送信することは、
前記ネットワーク装置が、無線リソース制御（ＲＲＣ）シグナリング又はメディアアクセス制御（ＭＡＣ）シグナリングによって前記端末装置へマッピング組み合わせを送信し、前記マッピング組み合わせが、前記少なくとも一つのＳＲＳリソースとダウンリンク基準信号とのマッピング関係及び／又は前記少なくとも一つのＳＲＳリソースグループとダウンリンク基準信号とのマッピング関係を含むことを含むことを特徴とする
請求項１に記載の方法。
【請求項５】
前記マッピング組み合わせはさらに少なくとも一つの状態識別子を含み、前記少なくとも一つの状態識別子内の各状態識別子が、前記少なくとも一つのＳＲＳリソース内の各ＳＲＳリソースとダウンリンク基準信号とのマッピング関係を１対１で識別することに用いられ、又は、
前記マッピング組み合わせはさらに少なくとも一つの状態識別子を含み、前記少なくとも一つの状態識別子内の各状態識別子が、前記少なくとも一つのＳＲＳリソースグループ内の各ＳＲＳリソースグループとダウンリンク基準信号とのマッピング関係を１対１で識別することに用いられることを特徴とする
請求項４に記載の方法。
【請求項６】
前記方法はさらに、
前記ネットワーク装置が前記端末装置へ第一の指示情報を送信し、前記第一の指示情報が、前記ネットワーク装置へ前記マッピング関係を有する第一のＳＲＳを送信するように前記端末装置をトリガすることに用いられることを含むことを特徴とする
請求項１−５のいずれか一項に記載の方法。
【請求項７】
前記第一の指示情報は前記第一のＳＲＳ及び／又は前記第一のＳＲＳに対応するダウンリンク基準信号を示すことに用いられることを特徴とする
請求項６に記載の方法。
【請求項８】
前記方法はさらに、
前記ネットワーク装置が前記端末装置へ第二の指示情報を送信し、前記第二の指示情報が、前記ネットワーク装置へ第一の状態識別子によって識別されるマッピング関係を有するＳＲＳを送信するように前記端末装置をトリガするように、前記少なくとも一つの状態識別子内の前記第一の状態識別子を示すことに用いられることを含むことを特徴とする
請求項５に記載の方法。
【請求項９】
前記ネットワーク装置が端末装置へ少なくとも一つのサウンディング基準信号（ＳＲＳ）リソース及び／又は少なくとも一つのＳＲＳリソースグループとダウンリンク基準信号とのマッピング関係を送信することは、
前記ネットワーク装置が、前記端末装置へ前記少なくとも一つのＳＲＳリソースとダウンリンク基準信号の送信リソースとの第一のタイムシーケンス関係を送信し、前記第一のタイムシーケンス関係が、前記少なくとも一つのＳＲＳリソースとダウンリンク基準信号とのマッピング関係を示すことに用いられること、及び／又は
前記ネットワーク装置が、前記端末装置へ前記少なくとも一つのＳＲＳリソースグループとダウンリンク基準信号の送信リソースとの第二のタイムシーケンス関係を送信し、前記第二のタイムシーケンス関係が、前記少なくとも一つのＳＲＳリソースグループとダウンリンク基準信号とのマッピング関係を示すことに用いられることを含むことを特徴とする
請求項１に記載の方法。
【請求項１０】
前記ダウンリンク基準信号はチャンセル状態情報基準信号（ＣＳＩ−ＲＳ）及び／又は同期信号ブロック（ＳＳＢ）を含むことを特徴とする
請求項１−９のいずれか一項に記載の方法。
【請求項１１】
前記ＳＲＳは非周期的ＳＲＳ、周期的ＳＲＳと半静的ＳＲＳのうちの少なくとも一つを含むことを特徴とする
請求項１−１０のいずれか一項に記載の方法。
【請求項１２】
ネットワーク装置であって、
端末装置へ少なくとも一つのサウンディング基準信号（ＳＲＳ）リソース及び／又は少なくとも一つのＳＲＳリソースグループとダウンリンク基準信号とのマッピング関係を送信するように構成される送信ユニットを備える、前記ネットワーク装置。
【請求項１３】
前記送信ユニットは具体的に、
前記端末装置へ少なくとも一つのＳＲＳリソースグループ内の各ＳＲＳリソースグループの配置情報を送信するように構成され、前記各ＳＲＳリソースグループの配置情報が、前記各ＳＲＳリソースグループのＳＲＳリソースに対応するダウンリンク基準信号を示すための少なくとも一つの指示フィールドをそれぞれ含むことを特徴とする
請求項１２に記載のネットワーク装置。
【請求項１４】
前記指示フィールドは具体的にダウンリンク基準信号の識別子又はダウンリンク基準信号の配置情報を示すことに用いられることを特徴とする
請求項１３に記載のネットワーク装置。
【請求項１５】
前記送信ユニットは具体的に、
無線リソース制御（ＲＲＣ）シグナリング又はメディアアクセス制御（ＭＡＣ）シグナリングによって前記端末装置へマッピング組み合わせを送信するように構成され、前記マッピング組み合わせが、前記少なくとも一つのＳＲＳリソースとダウンリンク基準信号とのマッピング関係及び／又は前記少なくとも一つのＳＲＳリソースグループとダウンリンク基準信号とのマッピング関係を含むことを特徴とする
請求項１２に記載のネットワーク装置。
【請求項１６】
前記マッピング組み合わせはさらに少なくとも一つの状態識別子を含み、前記少なくとも一つの状態識別子内の各状態識別子が、前記少なくとも一つのＳＲＳリソース内の各ＳＲＳリソースとダウンリンク基準信号とのマッピング関係を１対１で識別することに用いられ、又は、
前記マッピング組み合わせはさらに少なくとも一つの状態識別子を含み、前記少なくとも一つの状態識別子内の各状態識別子が、前記少なくとも一つのＳＲＳリソースグループ内の各ＳＲＳリソースグループとダウンリンク基準信号とのマッピング関係を１対１で識別することに用いられることを特徴とする
請求項１５に記載のネットワーク装置。
【請求項１７】
前記送信ユニットはさらに、
前記端末装置へ第一の指示情報を送信するように構成され、前記第一の指示情報が、前記ネットワーク装置へ前記マッピング関係を有する第一のＳＲＳを送信するように前記端末装置をトリガすることに用いられることを特徴とする
請求項１２−１６のいずれか一項に記載のネットワーク装置。
【請求項１８】
前記第一の指示情報は前記第一のＳＲＳ及び／又は前記第一のＳＲＳに対応するダウンリンク基準信号を示すことに用いられることを特徴とする
請求項１７に記載のネットワーク装置。
【請求項１９】
前記送信ユニットはさらに、
前記端末装置へ第二の指示情報を送信するように構成され、前記第二の指示情報が、前記ネットワーク装置へ第一の状態識別子によって識別されるマッピング関係を有するＳＲＳを送信するように前記端末装置をトリガするように、前記少なくとも一つの状態識別子内の前記第一の状態識別子を示すことに用いられることを特徴とする
請求項１６に記載のネットワーク装置。
【請求項２０】
前記送信ユニットは具体的に、
前記端末装置へ前記少なくとも一つのＳＲＳリソースとダウンリンク基準信号の送信リソースとの第一のタイムシーケンス関係を送信するように構成され、前記第一のタイムシーケンス関係が、前記少なくとも一つのＳＲＳリソースとダウンリンク基準信号とのマッピング関係を示すことに用いられ、及び／又は
前記端末装置へ前記少なくとも一つのＳＲＳリソースグループとダウンリンク基準信号の送信リソースとの第二のタイムシーケンス関係を送信するように構成され、前記第二のタイムシーケンス関係が、前記少なくとも一つのＳＲＳリソースグループとダウンリンク基準信号とのマッピング関係を示すことに用いられることを特徴とする
請求項１２に記載のネットワーク装置。
【請求項２１】
前記ダウンリンク基準信号はチャンセル状態情報基準信号（ＣＳＩ−ＲＳ）及び／又は同期信号ブロック（ＳＳＢ）を含むことを特徴とする
請求項１２−２０のいずれか一項に記載のネットワーク装置。
【請求項２２】
前記ＳＲＳは非周期的ＳＲＳ、周期的ＳＲＳと半静的ＳＲＳのうちの少なくとも一つを含むことを特徴とする
請求項１２−２１のいずれか一項に記載のネットワーク装置。
【国際調査報告】
2021508417.tif 000012
2021508417.tif 000013
2021508417.tif 000014
2021508417.tif 000015